(57)【特許請求の範囲】
【請求項１】
無線通信のための方法であって、
第１のリレーのアクセスサブフレームとバックホールサブフレームを決定することと、ここにおいて、前記アクセスサブフレームと前記バックホールサブフレームは、前記第１のリレーのサブフレームの異なる非オーバラッピングサブセットに対応する；
前記第１のリレーの前記アクセスサブフレームの間に少なくとも１つのユーザ機器（ＵＥ）と前記第１のリレーを介して通信することと；
前記第１のリレーの前記バックホールサブフレームの間に基地局と前記第１のリレーを介して通信することと、
を備え、
前記第１のリレーのサブフレーム番号は、各タイムインスタンスにおいて、前記基地局と通信する第２のリレーのサブフレーム番号からオフセットされ、
前記第１のリレーの前記アクセスサブフレームおよび前記バックホールサブフレームは前記第２のリレーのアクセスサブフレームおよびバックホールサブフレームと同じサブフレーム番号を有する方法。
【請求項２】
前記第１のリレーは、前記基地局と通信する可能性のあるバックホールサブフレームの第１のセットを具備し、前記第２のリレーは、前記基地局と通信する可能性のあるバックホールサブフレームの第２セットを具備し、前記第１および第２のリレーについての起こりうるバックホールサブフレームの前記第１および第２セットのスーパーセットは、オフセットしないサブフレームのスーパーセットに比較して増大する、請求項１に記載の方法。
【請求項３】
起こりうるバックホールサブフレームの前記第１セットは、マルチキャスト／ブロードキャスト単一周波数ネットワーク（ＭＢＳＦＮ）サブフレームを含む、請求項２に記載の方法。
【請求項４】
前記第１のリレーの前記バックホールサブフレームは、前記第１のリレーについての起こりうるバックホールサブフレームの前記第１セットから選択される、請求項２に記載の方法。
【請求項５】
前記第１のリレーの前記サブフレームは、前記第２のリレーの前記サブフレームから整数値だけオフセットされる、請求項１に記載の方法。
【請求項６】
前記第１のリレーの前記サブフレームは、前記第２のリレーの前記サブフレームから第１の値だけオフセットされ、第３のリレーのサブフレームから第２の値だけオフセットされ、前記第２の値は、前記第１の値とは異なる、請求項１に記載の方法。
【請求項７】
前記第１のリレーの前記アクセスサブフレームは、偶数インデクスを伴うサブフレーム、または、奇数インデクスを伴うサブフレームである、請求項１に記載の方法。
【請求項８】
前記少なくとも１つのＵＥと通信することは、前記第１のリレーの前記アクセスサブフレームの間に、ハイブリッド自動再送信（ＨＡＲＱ）で前記少なくとも１つのＵＥによって送信されたデータを受信することを備える、請求項７に記載の方法。
【請求項９】
前記第１のリレーの前記アクセスサブフレームのうち少なくとも１つは、前記基地局の少なくとも１つのリザーブされたサブフレームに対応し、各リザーブされたサブフレームは、前記基地局からのベースライン送信電力に比べて縮小された送信電力を有し、前記第１のリレーと通信する前記少なくとも１つのＵＥへの干渉は、前記ベースライン送信電力における送信から生じる干渉に比べて低減される、請求項１に記載の方法。
【請求項１０】
前記第１のリレーの前記バックホールサブフレームの各々を、マルチキャスト／ブロードキャスト単一周波数ネットワーク（ＭＢＳＦＮ）サブフレーム、ブランクサブフレーム、または、ほぼブランクのサブフレームとして構成すること、をさらに備える請求項１に記載の方法。
【請求項１１】
前記第１のリレーは、第１のサブフレームオフセットと関連づけられたリレーの第１グループに属し、前記第２のリレーは、第２のサブフレームオフセットと関連づけられたリレーの第２グループに属し、各グループは、少なくとも１つのリレーを含み、前記第２のサブフレームオフセットは、前記第１のサブフレームオフセットとは異なる、請求項１に記載の方法。
【請求項１２】
前記少なくとも１つのＵＥと通信することは、前記第１のリレーの前記アクセスサブフレームの間に前記少なくとも１つのＵＥへデータを送信することを備え、前記基地局と通信することは、前記第１のリレーの前記バックホールサブフレームの間に前記基地局からデータを受信することを備える、請求項１に記載の方法。
【請求項１３】
前記少なくとも１つのＵＥと通信することは、前記第１のリレーの前記アクセスサブフレームの間に前記少なくとも１つのＵＥからデータ送信を受信することを備え、前記基地局と通信することは、前記第１のリレーの前記バックホールサブフレームの間に前記基地局へデータを送信することを備える、請求項１に記載の方法。
【請求項１４】
前記第１のリレーの前記バックホールサブフレームの少なくとも１サブセットの間に前記基地局と通信する他のリレーを検出すること、をさらに備える請求項１に記載の方法。
【請求項１５】
前記第１のリレーの前記バックホールサブフレームの前記サブセットの間に、少なくとも１つのブロードキャストチャネル、少なくとも１つの同期信号、またはそれらの組み合わせの送信をサイレンスにすること、をさらに備える請求項１４に記載の方法。
【請求項１６】
無線通信のための装置であって、
第１のリレーのアクセスサブフレームとバックホールサブフレームを決定するための手段と、なお、前記アクセスサブフレームと前記バックホールサブフレームは、前記第１のリレーのサブフレームの異なる非オーバラッピングサブセットに対応する；
前記第１のリレーの前記アクセスサブフレームの間に、少なくとも１つのユーザ機器（ＵＥ）と前記第１のリレーを介して通信するための手段と；
前記第１のリレーの前記バックホールサブフレームの間に基地局と前記第１のリレーを介して通信するための手段と、を備え、
前記第１のリレーのサブフレーム番号は、各タイムインスタンスにおいて、前記基地局と通信する第２のリレーのサブフレーム番号からオフセットされ、
前記第１のリレーの前記アクセスサブフレームおよび前記バックホールサブフレームは前記第２のリレーのアクセスサブフレームおよびバックホールサブフレームと同じサブフレーム番号を有する装置。
【請求項１７】
前記第１のリレーの前記アクセスサブフレームは、偶数インデクスを伴うサブフレーム、または、奇数インデクスを伴うサブフレームである、請求項１６に記載の装置。
【請求項１８】
前記第１のリレーの前記アクセスサブフレームのうち少なくとも１つは、前記基地局の少なくとも１つのリザーブされたサブフレームに対応し、各リザーブされたサブフレームは、前記基地局からのベースライン送信電力に比べて縮小された送信電力を有し、前記第１のリレーと通信する前記少なくとも１つのＵＥへの干渉は、前記ベースライン送信電力における送信から生じる干渉に比べて低減される、請求項１６に記載の装置。
【請求項１９】
前記第１のリレーの前記バックホールサブフレームの各々を、マルチキャスト／ブロードキャスト単一周波数ネットワーク（ＭＢＳＦＮ）サブフレーム、ブランクサブフレーム、または、ほぼブランクのサブフレームとして構成するための手段と、をさらに備える請求項１６に記載の装置。
【請求項２０】
無線通信のための装置であって、
メモリユニットと、
前記メモリユニットと結合された少なくとも１つのプロセッサと、を備え、前記少なくとも１つのプロセッサは、
第１のリレーのアクセスサブフレームとバックホールサブフレームを決定するように、なお、前記アクセスサブフレームと前記バックホールサブフレームは、前記第１のリレーのサブフレームの異なる非オーバラッピングサブセットに対応する；
前記第１のリレーの前記アクセスサブフレームの間に、少なくとも１つのユーザ機器（ＵＥ）と前記第１のリレーを介して通信するように；
前記第１のリレーの前記バックホールサブフレームの間に基地局と前記第１のリレーを介して通信するように、；
構成され、
前記第１のリレーのサブフレーム番号は、各タイムインスタンスにおいて、前記基地局と通信する第２のリレーのサブフレーム番号からオフセットされ、
前記第１のリレーの前記アクセスサブフレームおよび前記バックホールサブフレームは前記第２のリレーのアクセスサブフレームおよびバックホールサブフレームと同じサブフレーム番号を有する、装置。
【請求項２１】
前記第１のリレーの前記アクセスサブフレームは、偶数インデクスを伴うサブフレーム、または、奇数インデクスを伴うサブフレームである、請求項２０に記載の装置。
【請求項２２】
前記第１のリレーの前記アクセスサブフレームのうち少なくとも１つは、前記基地局の少なくとも１つのリザーブされたサブフレームに対応し、各リザーブされたサブフレームは、前記基地局からのベースライン送信電力に比べて縮小された送信電力を有し、前記第１のリレーと通信する前記少なくとも１つのＵＥへの干渉は、前記ベースライン送信電力における送信から生じる干渉に比べて低減される、請求項２０に記載の装置。
【請求項２３】
前記少なくとも１つのプロセッサは、前記第１のリレーの前記バックホールサブフレームの各々を、マルチキャスト／ブロードキャスト単一周波数ネットワーク（ＭＢＳＦＮ）サブフレーム、ブランクサブフレーム、または、ほぼブランクのサブフレームとして構成するように動作しうる、請求項２０に記載の装置。
【請求項２４】
プログラムコードが記憶されたコンピュータ読取可能記憶媒体において、
前記プログラムコードは、
コンピュータに第１のリレーのアクセスサブフレームとバックホールサブフレームを決定させるためのプログラムコードと、なお、前記アクセスサブフレームと前記バックホールサブフレームは、前記第１のリレーのサブフレームの異なる非オーバラッピングサブセットに対応する；
前記コンピュータに前記第１のリレーの前記アクセスサブフレームの間に少なくとも１つのユーザ機器（ＵＥ）と前記第１のリレーを介して通信させるためのプログラムコードと；
前記コンピュータに前記第１のリレーの前記バックホールサブフレームの間に基地局と前記第１のリレーを介して通信させるためのプログラムコードと、
を備え、
前記第１のリレーのサブフレーム番号は、各タイムインスタンスにおいて、前記基地局と通信する第２のリレーのサブフレーム番号からオフセットされ、
前記第１のリレーの前記アクセスサブフレームおよび前記バックホールサブフレームは前記第２のリレーのアクセスサブフレームおよびバックホールサブフレームと同じサブフレーム番号を有する、
コンピュータ読取可能記憶媒体。
【請求項２５】
無線通信のための方法であって、
第１のリレーについての第１のバックホールサブフレームを決定することと、ここにおいて、前記第１のバックホールサブフレームは、基地局のサブフレームの第１のサブセットに対応する、
第２のリレーについての第２のバックホールサブフレームを決定することと、ここにおいて、前記第２のバックホールサブフレームは、前記基地局のサブフレームの第２のサブセットに対応し、前記第１のサブセットは前記第２のサブセットと異なり、前記第１のバックホールサブフレームは前記第２のリレーの前記第２のバックホールサブフレームと同じサブフレーム番号を有し、前記第１のリレーのサブフレーム番号は各タイムインスタンスにおいて、前記第２のリレーのサブフレーム番号から時間的にオフセットされる、
前記第１のバックホールサブフレームの間に前記第１のリレーと通信することと；
前記第２のバックホールサブフレームの間に前記第２のリレーと通信することと；
を備える方法。
【請求項２６】
前記基地局と通信するための起こりうるバックホールサブフレームの第１セットから、前記第１のバックホールサブフレームを選択することと；
前記基地局と通信するための起こりうるバックホールサブフレームの第２セットから、第２のバックホールサブフレームを選択することと、なお、前記第１のリレーおよび前記第２のリレーについての起こりうるバックホールサブフレームの前記第１のセットおよび前記第２のセットのスーパーセットは、オフセットされないサブフレームのスーパーセットに比較して増大する；
をさらに備える請求項２５に記載の方法。
【請求項２７】
起こりうるバックホールサブフレームの前記第１セットは、前記第１のリレーによって、マルチキャスト／ブロードキャスト単一周波数ネットワーク（ＭＢＳＦＮ）サブフレームとして構成されることができるサブフレームであり、起こりうるバックホールサブフレームの前記第２セットは、前記第２のリレーによって、ＭＢＳＦＮサブフレームとして構成されることができるサブフレームである、請求項２６に記載の方法。
【請求項２８】
前記第１のリレーについての前記第１のバックホールサブフレームの少なくとも１つの時間は、前記第２のリレーの少なくとも１つのアクセスサブフレームの時間に対応する、請求項２５に記載の方法。
【請求項２９】
前記第１のバックホールサブフレームは、前記第１のリレーの偶数インデクスを伴うサブフレームまたは奇数インデクスを伴うサブフレームを除く、請求項２５に記載の方法。
【請求項３０】
前記第１のリレーの少なくとも１つのアクセスサブフレームに対応する前記基地局の少なくとも１つのリザーブされたサブフレームを決定することと、
前記少なくとも１つのリザーブされたサブフレームの間に前記基地局のベースライン送信電力から送信電力を減らすことと、
をさらに備え、
前記第１のリレーと通信する少なくとも１つのユーザ機器（ＵＥ）に対する干渉は前記ベースライン送信電力における送信から生じる干渉に比べて低減される、請求項２５に記載の方法。
【請求項３１】
前記少なくとも１つのリザーブされたサブフレームの各々を、前記基地局によって、マルチキャスト／ブロードキャスト単一周波数ネットワーク（ＭＢＳＦＮ）サブフレームとして構成すること、をさらに備える請求項３０に記載の方法。
【請求項３２】
第３のリレーについての第３のバックホールサブフレームを決定すること、なお、前記第３のバックホールサブフレームは、前記基地局の前記サブフレームの第３のサブセットに対応し、前記第３のリレーについてのサブフレームは、前記第１および第２のリレーのサブフレームから時間的にオフセットされる；
前記第３のバックホールサブフレームの間に前記第３のリレーと通信することと；
をさらに備える請求項２５に記載の方法。
【請求項３３】
前記第１のリレーを含むリレーの第１グループを決定することと、ここにおいて、前記第１のグループは第１のサブフレームオフセットに関連する；
前記第２のリレーを含むリレーの第２グループを決定することと、ここにおいて、前記第２のグループは第２のサブフレームオフセットに関連する、ここにおいて、前記第２のサブフレームオフセットは、前記第１のサブフレームオフセットとは異なる、
をさらに備える請求項２５に記載の方法。
【請求項３４】
無線通信のための装置であって、
第１のリレーについての第１のバックホールサブフレームを決定する手段と、ここにおいて、前記第１のバックホールサブフレームは基地局のサブフレームの第１のサブセットに対応する、
第２のリレーについての第２のバックホールサブフレームを決定する手段と、ここにおいて、前記第２のバックホールサブフレームは前記基地局のサブフレームの第２のサブセットに対応する、ここにおいて、前記第１のサブセットは前記第２のサブセットとは異なり、前記第１のバックホールサブフレームは前記第２のリレーの前記第２のバックホールサブフレームと同じサブフレーム番号を有し、前記第１のリレーのサブフレーム番号は各タイムインスタンスにおいて、前記第２のリレーのサブフレーム番号から時間的にオフセットされる、
前記第１のバックホールサブフレームの間に前記第１のリレーと通信するための手段と；
前記第２のバックホールサブフレームの間に前記第２のリレーと通信するための手段と；
を備える装置。
【請求項３５】
前記第１のバックホールサブフレームは、前記第１のリレーの偶数インデクスを伴うサブフレームまたは奇数インデクスを伴うサブフレームを除く、請求項３４に記載の装置。
【請求項３６】
前記第１のリレーの少なくとも１つのアクセスサブフレームに対応する前記基地局の少なくとも１つのリザーブされたサブフレームを決定するための手段と、
前記少なくとも１つのリザーブされたサブフレームの間に前記基地局のベースライン送信電力から送信電力を減らすための手段と、
をさらに備え、
前記第１のリレーと通信する少なくとも１つのユーザ機器（ＵＥ）に対する干渉は前記ベースライン送信電力における送信から生じる干渉に比べて低減される、請求項３４に記載の装置。
【請求項３７】
無線通信のための装置において、
メモリユニットと、
前記メモリユニットに結合された少なくとも１つのプロセッサと、を備え、前記少なくとも１つのプロセッサは、
第１のリレーについての第１のバックホールサブフレームを決定するように、ここにおいて、前記第１のバックホールサブフレームは、基地局のサブフレームの第１のサブセットに対応する、
第２のリレーについての第２のバックホールサブフレームを決定するように、前記第２のバックホールサブフレームは前記基地局のサブフレームの第２のサブセットに対応し、前記第１のサブセットは前記第２のサブセットとは異なり、前記第１のバックホールサブフレームは、前記第２のリレーの前記第２のバックホールサブフレームと同じサブフレーム番号を有し、前記第１のリレーのサブフレーム番号は各タイムインスタンスにおいて前記第２のリレーのサブフレーム番号から時間的にオフセットされる、
前記第１のバックホールサブフレームの間に前記第１のリレーと通信するように；
前記第２のバックホールサブフレームの間に前記第２のリレーと通信するように；構成された、装置。
【請求項３８】
前記第１のバックホールサブフレームは、前記第１のリレーの偶数インデクスを伴うサブフレームまたは奇数インデクスを伴うサブフレームを除く、請求項３７に記載の装置。
【請求項３９】
前記少なくとも１つのプロセッサは、前記第１のリレーの少なくとも１つのアクセスサブフレームに対応する前記基地局の少なくとも１つのリザーブされたサブフレームを決定するように、また、前記少なくとも１つのリザーブされたサブフレームの間に前記基地局のベースライン送信電力から送信電力を減らすように、構成され、前記第１のリレーと通信する少なくとも１つのユーザ機器（ＵＥ）に対する干渉は前記ベースライン送信電力における送信から生じる干渉に比べて低減される、請求項３７に記載の装置。
【請求項４０】
プログラムコードが記憶されたコンピュータ読取可能記憶媒体において、前記プログラムコードは、
コンピュータに、第１のリレーについての第１のバックホールサブフレームを決定させるためのプログラムコードと、ここにおいて、前記第１のバックホールサブフレームは、基地局のサブフレームの第１のサブセットに対応する、
前記コンピュータに、第２のリレーについての第２のバックホールサブフレームを決定させるためのプログラムコードと、ここにおいて、前記第２のバックホールサブフレームは前記基地局のサブフレームの第２のサブセットに対応し、前記第１のサブセットは前記第２のサブセットとは異なり、前記第１のバックホールサブフレームは、前記第２のリレーの前記第２のバックホールサブフレームと同じサブフレーム番号を有し、前記第１のリレーのサブフレーム番号は各タイムインスタンスにおいて前記第２のリレーのサブフレーム番号から時間的にオフセットされる、
前記コンピュータに、前記第１のバックホールサブフレームの間に前記第１のリレーと通信させるためのプログラムコードと；
前記コンピュータに、前記第２のバックホールサブフレームの間に前記第２のリレーと通信させるためのプログラムコードと；
を備える、
コンピュータ読取可能記憶媒体。
【請求項４１】
無線通信のための方法であって、
基地局との通信のために、ユーザ機器（ＵＥ）によって第１のリレーにアクセスすることと；
前記第１のリレーのアクセスサブフレームの間に前記第１のリレーと通信することと、なお、前記第１のリレーの前記アクセスサブフレームは、前記第１のリレーのサブフレームの第１サブセットに対応し、前記第１のリレーと第２のリレーは、前記基地局と通信し、前記第１のリレーのバックホールサブフレームおよび前記アクセスサブフレームは、前記第２のリレーのバックホールサブフレームおよびアクセスサブフレームと同じサブフレーム番号を有し、前記第１のリレーのサブフレーム番号は、各タイムインスタンスにおいて前記第２のリレーのサブフレーム番号から時間的にオフセットされる；
を備える方法。
【請求項４２】
前記第１のリレーのバックホールサブフレームの間に前記第１のリレーから信号を受信すること、をさらに備え、前記第１のリレーの前記バックホールサブフレームは、前記第１のリレーの前記サブフレームの第２のサブセットに対応する、請求項４１に記載の方法。
【請求項４３】
前記第１のリレーの前記バックホールサブフレームは、マルチキャスト／ブロードキャスト単一周波数ネットワーク（ＭＢＳＦＮ）サブフレームとして構成される、請求項４２に記載の方法。
【請求項４４】
前記第１のリレーの前記アクセスサブフレームは、偶数インデクスを伴うサブフレーム、または、奇数インデクスを伴うサブフレームを含む、請求項４１に記載の方法。
【請求項４５】
前記第１のリレーと通信することは、前記第１のリレーの前記アクセスサブフレームの間に、ハイブリッド自動再送信（ＨＡＲＱ）でデータを送信することを備える、請求項４４に記載の方法。
【請求項４６】
前記第１のリレーの前記アクセスサブフレームのうち少なくとも１つは、前記基地局の少なくとも１つのリザーブされたサブフレームに対応し、前記少なくとも１つのリザーブされたサブフレームは、前記基地局からのベースライン送信電力に比べて低減された送信電力を有し、前記第１のリレーと通信する少なくとも１つのＵＥへの干渉は、前記ベースライン送信電力での送信から生じる干渉に比べて低減される、請求項４１に記載の方法。
【請求項４７】
無線通信のための装置であって、
基地局との通信のために、ユーザ機器（ＵＥ）によって第１のリレーにアクセスするための手段と；
前記第１のリレーのアクセスサブフレームの間に前記第１のリレーと通信するための手段と、なお、前記第１のリレーの前記アクセスサブフレームは、前記第１のリレーのサブフレームのサブセットに対応し、前記第１のリレーと第２のリレーは、前記基地局と通信し、前記第１のリレーのバックホールサブフレームおよび前記アクセスサブフレームは、前記第２のリレーのバックホールサブフレームおよびアクセスサブフレームと同じサブフレーム番号を有し、前記第１のリレーのサブフレーム番号は、各タイムインスタンスにおいて、前記第２のリレーのサブフレーム番号から時間的にオフセットされる；
を備える装置。
【請求項４８】
前記第１のリレーの前記アクセスサブフレームは、偶数インデクスを伴うサブフレーム、または、奇数インデクスを伴うサブフレームを含む、請求項４７に記載の装置。
【請求項４９】
前記第１のリレーの前記アクセスサブフレームのうち少なくとも１つは、前記基地局の少なくとも１つのリザーブされたサブフレームに対応し、前記少なくとも１つのリザーブされたサブフレームは、前記基地局からのベースライン送信電力に比べて低減された送信電力を有し、前記第１のリレーと通信する少なくとも１つのＵＥへの干渉は、前記ベースライン送信電力における送信から生じる干渉に比べて低減される、請求項４７に記載の装置。
【請求項５０】
無線通信のための装置において、
メモリユニットと、
前記メモリユニットに結合された少なくとも１つのプロセッサと、を備え、前記少なくとも１つのプロセッサは、
基地局との通信のために、ユーザ機器（ＵＥ）によって第１のリレーにアクセスするように；
前記第１のリレーのアクセスサブフレームの間に前記第１のリレーと通信するように、なお、前記第１のリレーの前記アクセスサブフレームは、前記第１のリレーのサブフレームのサブセットに対応し、前記第１のリレーと第２のリレーは、前記基地局と通信し、前記第１のリレーのバックホールサブフレームおよび前記アクセスサブフレームは前記第２のリレーのバックホールサブフレームおよびアクセスサブフレームと同じサブフレーム番号を有し、前記第１のリレーのサブフレーム番号は、各タイムインスタンスにおいて、前記第２のリレーのサブフレーム番号から時間的にオフセットされる；
構成された、装置。
【請求項５１】
前記第１のリレーの前記アクセスサブフレームは、偶数インデクスを伴うサブフレーム、または、奇数インデクスを伴うサブフレームを含む、請求項５０に記載の装置。
【請求項５２】
前記第１のリレーの前記アクセスサブフレームのうち少なくとも１つは、前記基地局の少なくとも１つのリザーブされたサブフレームに対応し、前記少なくとも１つのリザーブされたサブフレームは、前記基地局からのベースライン送信電力に比べて低減された送信電力を有し、前記第１のリレーと通信する少なくとも１つのＵＥへの干渉は、前記ベースライン送信電力における送信から生じる干渉に比べて低減される、請求項５０に記載の装置。
【請求項５３】
プログラムコードが記憶されたコンピュータ読取可能記憶媒体において、前記プログラムコードは、
コンピュータにユーザ機器（ＵＥ）と基地局との間の通信のために、前記ＵＥによって第１のリレーにアクセスさせるためのプログラムコードと；
前記コンピュータに前記第１のリレーのアクセスサブフレームの間に前記第１のリレーと通信させるためのプログラムコードと、なお、前記第１のリレーの前記アクセスサブフレームは、前記第１のリレーのサブフレームのサブセットに対応し、前記第１のリレーと第２のリレーは、前記基地局と通信し、前記第１のリレーのバックホールサブフレームおよび前記アクセスサブフレームは、前記第２のリレーのバックホールサブフレームおよびアクセスサブフレームと同じサブフレーム番号を有し、前記第１のリレーのサブフレーム番号は、各タイムインスタンスにおいて、前記第２のリレーのサブフレーム番号から時間的にオフセットされる；
を備える、
コンピュータ読取可能記憶媒体。
【請求項５４】
前記第１のリレーのサブフレーム番号は前記基地局のサブフレーム番号と時間的に整合されている、請求項１の方法。
【請求項５５】
請求項１乃至１５、２５乃至３３、４１乃至４６、および５４の１つに従う方法をコンピュータに実行させるためのプログラム。
【請求項５６】
請求項１乃至１５、２５乃至３３、４１乃至４６、および５４の１つに従う方法をコンピュータに実行させるためのプログラムを記憶したコンピュータ読取可能記憶媒体。
【発明の詳細な説明】
【関連出願】
【０００１】
本願は、２００９年１０月９日に出願され、ここでの譲受人に譲渡され、参照によりここに組み込まれる「Relay Clustering with Staggered Subframes」と題された米国仮出願番号第６１／２５０，２２３号の優先権を主張する。
【背景技術】
【０００２】
Ｉ．分野
本開示は、一般的には通信に関し、より具体的には、無線通信ネットワークにおけるリレーの動作をサポートするための技法に関する。
【０００３】
ＩＩ．背景
無線通信ネットワークは、音声、ビデオ、データ、パケットデータ、メッセージング、ブロードキャスト等のような様々な通信コンテンツを提供するように広く展開されている。これらの無線ネットワークは、利用可能なネットワークリソースを共有することにより複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークを含む。
【０００４】
無線ネットワークは、多数のユーザ機器（ＵＥ）のための通信をサポートすることができる多数の基地局を含めうる。無線ネットワークはまた、潜在的に高価な有線バックホールリンクを必要することなく、無線ネットワークのカバレッジおよびキャパシティを改善することができるリレーを含めうる。リレーは、アップストリーム局（例、基地局）から信号を受信し、受信した信号を処理して信号で送信された信号を復元し、復元されたデータに基づいてリレー信号を生成し、そして、ダウンストリーム局（例、ＵＥ）へリレー信号を送信しうる、「復号および順方向(decode and forward)」局でありうる。
【０００５】
リレーは、バックホールリンクで基地局と通信しうる、また、基地局に対してＵＥとして表されうる。リレーはまた、アクセスリンクで１つまたは複数のＵＥと通信しうる、また、ＵＥ（単数または複数）に対して基地局として表されうる。リレーは、同じ周波数チャネル上で同時に送信および受信することができないハーフデュプレクスリレーでありうる。したがって、バックホールリンクとアクセスリンクは、時分割多重化されうる。さらに、無線ネットワークは、リレーの動作に影響を与えうる、ある必要要件を有しうる。その送信／受信の制限、ならびに、他のネットワークの必要要件より、リレーの効率的な動作をサポートすることが望ましいことがある。
【発明の概要】
【０００６】
無線ネットワークにおけるリレーの動作をサポートするための技法がここで説明されている。一態様では、サブフレームスタガリングが、リレー通信をサポートするために使用されうる。サブフレームスタガリングの場合、異なるリレーのサブフレームは、互いにスタガされうる、そしてそれらは、よりフレキシブルなバックホール／アクセス分割を提供し、よりよいリソース使用を可能にし、および／または、他の利点を提供しうる。
【０００７】
ある設計では、第１のリレーは、そのアクセスサブフレームとバックホールサブフレームを決定しうる、そしてそれらは、第１のリレーのサブフレームの異なる非オーバラッピングサブセットに対応しうる。第１のリレーは、アクセスサブフレームの間にアクセスリンクで少なくとも１つのＵＥと通信しうる。第１のリレーは、バックホールサブフレームの間にバックホールリンクで基地局と通信しうる。第１のリレーのサブフレームは、基地局と通信する第２のリレーのサブフレームから（例、整数個のサブフレームだけ）オフセットされうる。
【０００８】
一般的には、第１のリレーのサブフレームは、任意の数の異なるオフセットだけ、任意の数のリレーのサブフレームからオフセットされうる。各リレーは、リレーが基地局と通信可能である起こりうるバックホールサブフレームのそれぞれのセットを有しうる。すべてのリレーについてのすべての起こりうるバックホールサブフレームのスーパーセットは、異なるリレーのサブフレーム間のオフセットに起因して増大されうる。起こりうるバックホールサブフレームの数の増大は、下記で説明されているように、バックホールキャパシティを改善しうる。
【０００９】
ある設計では、第１のリレーについての起こりうるバックホールサブフレームのセットは、第１のリレーにより、マルチキャスト／ブロードキャスト単一周波数ネットワーク（ＭＢＳＦＮ）サブフレームとして構成されることができるすべてのサブフレームを含めうる。第１のリレーのバックホールサブフレームは、起こりうるバックホールサブフレームのこのセットから選択されうる。第１のリレーは、各バックホールサブフレームを、ＭＢＳＦＮサブフレーム、または、ブランクサブフレーム(blank subframe)、またはほぼブランクのサブフレーム(almost blank subframe)、または他の何らかのタイプのサブフレーム(a subframe of some other type)として構成されうるので、第１のリレーは、各バックホールサブフレームにおいて可能な限り少なく送信することができる。
【００１０】
ある設計では、第１のリレーのアクセスサブフレームは、第１のリレーの偶数インデクスを伴うすべてのサブフレーム、または、奇数インデクスを伴うすべてのサブフレームのいずれかを含めうる。第１のリレーは、アクセスサブフレームの間に少なくとも１つのＵＥによってハイブリッド自動再送信（ＨＡＲＱ）で送信されたデータ送信を受信しうる。
【００１１】
ある設計では、第１のリレーのアクセスサブフレームのうち少なくとも１つは、基地局の少なくとも１つのリザーブされたサブフレームに対応しうる。各リザーブされたサブフレームは、第１のリレーと通信する少なくとも１つのＵＥへの干渉を減らすために、基地局から縮小された送信電力（例えば、低い送信電力または送信電力なし）を有しうる。
【００１２】
本開示の様々な態様および特徴は、さらに下記で詳細に説明される。
【図面の簡単な説明】
【００１３】
【図１】図１は、無線通信ネットワークを図示する。
【図２】図２は、リレーを介した基地局とＵＥとの間の通信を図示する。
【図３】図３は、例示的なフレーム構造を図示する。
【図４】図４は、レギュラーサブフレームフォーマットを図示する。
【図５】図５は、ＭＢＳＦＮサブフレームフォーマットを図示する。
【図６】図６は、例示的なバックホール／アクセス分割を図示する。
【図７】図７は、サブフレームスタガリングを用いた例示的なバックホール／アクセス分割を図示する。
【図８】図８は、サブフレームスタガリングおよびＨＡＲＱのためのサポートを用いた例示的なバックホール／アクセス分割を図示する。
【図９】図９は、サブフレームスタガリングおよびリザーブされたサブフレームを用いた例示的なバックホール／アクセス分割を図示する。
【図１０】サブフレームスタガリング、リザーブされたサブフレーム、およびＨＡＲＱのためのサポートを用いた例示的なバックホール／アクセス分割を図示する。
【図１１】図１１および図１２は、それぞれ、リレーによる通信をサポートするためのプロセスと装置を示す。
【図１２】図１１および図１２は、それぞれ、リレーによる通信をサポートするためのプロセスと装置を示す。
【図１３】図１３および図１４は、それぞれ、基地局による通信をサポートするためのプロセスおよび装置を図示する。
【図１４】図１３および図１４は、それぞれ、基地局による通信をサポートするためのプロセスおよび装置を図示する。
【図１５】図１５および図１６は、それぞれ、ＵＥによって通信するためのプロセスおよび装置を図示する。
【図１６】図１５および図１６は、それぞれ、ＵＥによって通信するためのプロセスおよび装置を図示する。
【図１７】図１７は、基地局、リレー、そしてＵＥのブロック図を示す。
【発明を実施するための形態】
【００１４】
ここで説明される技法は、ＣＤＭＡ、ＴＤＭＡ、ＦＤＭＡ、ＯＦＤＭＡ、ＳＣ−ＦＤＭＡ、および他のネットワークのような様々な無線通信ネットワークのために使用されうる。用語「ネットワーク」と「システム」は、多くの場合、置換可能で使用される。ＣＤＭＡネットワークは、ユニバーサル地上無線アクセス（ＵＴＲＡ）、ｃｄｍａ２０００等のような無線技術を実装しうる。ＵＴＲＡは、広帯域ＣＤＭＡ（ＷＣＤＭＡ（登録商標））およびＣＤＭＡの他の変形を含む。ｃｄｍａ２０００は、ＩＳ−２０００、ＩＳ−９５、およびＩＳ−８５６規格を含む。ＴＤＭＡネットワークは、モバイル通信のためのグローバルシステム（ＧＳＭ）(登録商標）のような無線技術を実装しうる。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）等のような無線技術を実装しうる。ＵＴＲＡとＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスド（ＬＴＥ−Ａ）は、Ｅ−ＵＴＲＡを使用するＵＭＴＳの新規リリースであり、そしてそれは、ダウンリンクではＯＦＤＭＡを利用し、アップリンクではＳＣ−ＦＤＭＡを利用する。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）という名称の団体の文書の中で説明されている。ｃｄｍａ２０００およびＵＭＢは、「第３世代パートナーシッププロジェクト２」（３ＧＰＰ２）という名称の団体の文書の中で説明されている。ここで説明される技法は、上述される無線ネットワークおよび無線技術、ならびに、他の無線ネットワークおよび無線技術のために使用されうる。明瞭にするため、本技法のある態様は、下記でＬＴＥについて説明しており、ＬＴＥ用語が下記の説明の多くに使用されている。
【００１５】
図１は、ＬＴＥネットワークまたは他の何らかの無線ネットワークでありうる、無線通信ネットワーク１００を図示する。無線ネットワーク１００は、多数の発展型ノードＢ（ｅＮＢ）、リレー、および、多数のＵＥのための通信をサポートすることができる他のエンティティを含めうる。ｅＮＢは、ＵＥと通信するエンティティでありうる、また、基地局、ノードＢ、アクセスポイント等とも呼ばれうる。ｅＮＢは、特定の地理領域の通信カバレッジを提供しうる。３ＧＰＰでは、用語「セル」は、用語が使用される文脈によって、ｅＮＢのカバレッジエリアおよび／またはこのカバレッジエリアにサービス提供するｅＮＢサブシステムを指すことができる。ｅＮＢは、１つまたは複数（例、３つ）のセルをサポートしうる。
【００１６】
ｅＮＢは、マクロセル、ピコセル、フェムトセル、および／または、他のタイプのセルのための通信カバレッジを提供しうる。マクロセルは、相対的に大きい地理領域（例えば半径数キロメートル）をカバーしうる、また、サービス加入しているＵＥによって制約されないアクセスを許容しうる。ピコセルは、相対的に小さい地理領域をカバーしうる、また、サービス加入しているＵＥによって制約されないアクセスを許容しうる。フェムトセルは、相対的に小さい地理領域（例えば家庭）をカバーしうる、また、フェムトセルとの関連づけを有するＵＥ（例えば、クローズド加入者グループ（ＣＳＧ）内のＵＥ）によって制約されたアクセスを許容しうる。図１で示される例では、無線ネットワーク１００は、マクロセル１０２に関してはマクロｅＮＢ１１０、ピコセル１０４に関してはピコｅＮＢ１１２、およびフェムトセル１０６に関してはホームｅＮＢ（ＨｅＮＢ）１１４を含む。ネットワークコントローラ１４０は、ｅＮＢのセットに結合しうる、また、これらのｅＮＢのための調整および制御を提供しうる。
【００１７】
リレーは、アップストリーム局（例、ｅＮＢまたはＵＥ）からデータおよび／または他の情報の送信を受信し、ダウンストリーム局（例、ＵＥまたはｅＮＢ）へデータおよび／または他の情報の送信を送信する、エンティティでありうる。リレーはまた、リレー局、リレーｅＮＢ等とも呼ばれうる。リレーはまた、他のＵＥの送信をリレーするＵＥでありうる。図１では、リレー１２０ａ、１２０ｂ、および１２０ｃは、ｅＮＢとＵＥとの間の通信を促進させるために、ｅＮＢ１１０とＵＥ１３０ａ、１３０ｂ、１３０ｃおよび１３０ｄと通信しうる。
【００１８】
ＵＥ１３０は、無線ネットワーク全体にわたって分散しうる、また、各ＵＥは、固定式または移動式でありうる。ＵＥはまた、端末、アクセス端末、モバイル局、加入者ユニット、局等とも呼ばれうる。ＵＥは、セルラ電話、携帯情報端末（ＰＤＡ）、無線モデム、無線通信デバイス、ハンドへルドデバイス、ラップトップコンピュータ、コードレス電話、無線ローカルループ（ＷＬＬ）局、スマートフォン、ノートブック、スマートブック等でありうる。ＵＥは、ｅＮＢ、リレー、他のＵＥ等と通信可能でありうる。
【００１９】
図２は、リレー１２０ａを介して、マクロｅＮＢ１１０とＵＥ１３０ａとの間の通信を図示する。リレー１２０ａは、バックホールリンクを介してマクロｅＮＢ１１０と通信しうる、また、アクセスリンクを介してＵＥ１３０ａと通信しうる。バックホールリンクで、リレー１２０ａは、バックホールダウンリンクを介してｅＮＢ１１０からダウンリンク送信を受信しうる、また、バックホールアップリンクを介してｅＮＢ１１０に対してアップリンク送信を送信しうる。アクセスリンクで、リレー１２０ａは、アクセスダウンリンクを介してＵＥ１３０ａへダウンリンク送信を送信しうる、また、アクセスアップリンクを介してＵＥ１３０ａからアップリンク送信を受信しうる。ｅＮＢ１１０はリレー１２０ａのためのドナーｅＮＢと呼ばれうる。
【００２０】
図２はまた、マクロｅＮＢ１１０とＵＥ１３０ｇとの間の直接通信を図示する。ｅＮＢ１１０は、広域ネットワーク（ＷＡＮ）ダウンリンクを介してＵＥ１３０ｇへダウンリンク送信を送信しうる、また、ＷＡＮアップリンクを介してＵＥ１３０ｇからアップリンク送信を受信しうる。
【００２１】
無線ネットワークは、周波数分割デュプレキシング（ＦＤＤ）または時分割デュプレキシング（ＴＤＤ）を使用しうる。ＦＤＤの場合、ダウンリンクおよびアップリンクは、異なる周波数チャネルを割り付けられる。ダウンリンク送信およびアップリンク送信は、２つの周波数チャネル上で同時に送信されうる。ＴＤＤの場合、ダウンリンクおよびアップリンクは、同じ周波数チャネルを共有する。ダウンリンクおよびアップリンクの送信は、異なる時間インターバルで同じ周波数チャネル上で送信されうる。
【００２２】
図３は、ＬＴＥにおけるＦＤＤのために使用されるフレーム構造３００を図示する。ダウンリンクおよびアップリンクの各々に関する送信タイムラインは、無線フレームの単位へと分割されうる。各無線フレームは、予め決定された持続時間（例、１０ミリ秒（ｍｓ））を有しうる、また、インデクス０〜９を伴う１０サブフレームへと分割されうる。各サブフレームは２スロットを含めうる。したがって、各無線フレームは、インデクス０〜１９を伴う２０スロットを含めうる。各スロットは、Ｌシンボル期間、例えば、通常のサイクリックプリフィックスに関しては７シンボル期間（図２に図示されている）、または、拡張されたサイクリックプリフィックスに関しては６シンボル期間、を含めうる。各サブフレーム内の２Ｌシンボル期間は、インデクス０〜２Ｌ−１を割り当てられうる。
【００２３】
ＬＴＥにおけるダウンリンクで、ｅＮＢは、ｅＮＢによってサポートされる各セルについてのシステム帯域幅の中心１．０８ＭＨｚにおいて、プライマリ同期信号（ＰＳＳ）およびセカンダリ同期信号（ＳＳＳ）を送信しうる。ＰＳＳおよびＳＳＳは、図３で図示されるように、通常のサイクリックプリフィックスを伴う各無線フレームのサブフレーム０およびサブフレーム５において、それぞれ、シンボル期間６およびシンボル期間５で送信されうる。ＰＳＳおよびＳＳＳは、セルサーチおよび獲得のために、ＵＥによって使用されうる。ｅＮＢは、ある無線フレームにおけるサブフレーム０のスロット１におけるシンボル期間０〜３で、物理ブロードキャストチャネル（ＰＢＣＨ）を送信しうる。ＰＢＣＨは、いくつかのシステム情報を搬送しうる。ｅＮＢはまた、各サブフレームにおいて他のチャネルおよび信号を送信しうる。
【００２４】
ＬＴＥは、ダウンリンクのためのいくつかのサブフレームフォーマットをサポートする。各サブフレームフォーマットは、ある特性と関連づけられうる、例えば、ある信号およびチャネルは、そのフォーマットのサブフレームにおいて、および／または信号またはチャネルがサブフレームにおいて送信される特定の方法において、送信される。異なるフォーマットのサブフレームは、異なる目的のために使用されうる。
【００２５】
図４は、ＬＴＥにおけるダウンリンクのために使用されうるレギュラーサブフレームフォーマット４１０を図示する。通常のサイクリックプリフィックスの場合、左スロットは、７つのシンボル期間０〜６を含み、右スロットは、７つのシンボル期間７〜１３を含む。各スロットは、多数のリソースブロックを含む。各リソースブロックは、１スロットにおいて１２個のサブキャリアをカバーし、多数のリソースエレメントを含む。各リソースエレメントは、１シンボル期間に１サブキャリアをカバーし、１変調シンボルを送信するために使用されうる、そしてそれは、実数値または複素数値でありうる。
【００２６】
サブフレームフォーマット４１０は、４つのアンテナを装備したｅＮＢによって使用されうる。セル特有基準信号（ＣＲＳ）は、レギュラーサブフレームの、シンボル期間０、４、７および１１においてアンテナ０および１から、また、シンボル期間１および８においてアンテナ２および３から、送信されうる。基準信号は、送信機と受信機によりアプリオリで知られている信号であり、また、パイロットとも呼ばれうる。ＣＲＳは、例えばセルアイデンティティ（ＩＤ）に基づいて生成された、セルに特有である基準信号である。図４では、ラベルＲａを伴う所与のリソースエレメントに関して、変調シンボルはアンテナａからそのリソースエレメント上で変調シンボルは送信され、また、他のアンテナからそのリソースエレメント上で変調シンボルは送信されない。
【００２７】
レギュラーサブフレームは、その後にデータセクションが続く制御セクションを含めうる。制御セクションは、サブフレームの最初のＱシンボル期間を含めうる、ここでは、Ｑは、１、２、３、または４に等しい。Ｑは、サブフレーム間で変更しうる、また、サブフレームの第１のシンボル期間で伝達されうる。制御セクションは、制御情報を搬送しうる。データセクションは、サブフレームの残りの２Ｌ−Ｑシンボル期間を含めうる、また、ＵＥについてのデータおよび／または他の情報を搬送しうる。
【００２８】
図５は、ＬＴＥにおけるダウンリンクのために使用されうるＭＢＳＦＮサブフレームフォーマット５１０を図示する。サブフレームフォーマット５１０は、４つのアンテナを装備したｅＮＢによって使用されうる。ＣＲＳは、ＭＢＳＦＮサブフレームの、シンボル期間０においてアンテナ０および１から送信され、シンボル期間１においてアンテナ２および３から送信されうる。図５で図示される例では、Ｑ＝２であり、制御セクションは、ＭＢＳＦＮサブフレームの２シンボル期間をカバーし、データセクションは、ＭＢＳＦＮサブフレームの残りのシンボル期間をカバーする。
【００２９】
一般的には、ＭＢＳＦＮサブフレームは、サブフレームの制御セクション内の制限された基準信号と制限された制御情報を搬送し、サブフレームのデータセクション内のマルチキャスト／ブロードキャストデータを搬送する／しない場合がある、サブフレームである。局（例、ｅＮＢまたはリレー）は、ＵＥに対して（例えばシステム情報を介して）ＭＢＳＦＮサブフレームとしてサブフレームを宣言する。そのあとで、これらのＵＥは、ＭＢＳＦＮサブフレームの制御セクション内の基準信号と制御情報を予期する。局は、ＭＢＳＦＮサブフレームのデータセクション内のブロードキャストデータを予期するように個別でＵＥに（例、上層シグナリングを介して）通知し、ＵＥは、そのあとで、データセクション内のブロードキャストデータを予期するであろう。局は、ＭＢＳＦＮサブフレームのデータセクション内のブロードキャストデータを予期するようにいずれのＵＥにも通知しないことを選ぶことができ、ＵＥは、データセクション内のブロードキャストデータを予期しないであろう。ＭＢＳＦＮサブフレームのこれらの特性は、後述されるように、リレー動作をサポートするために利用されうる。
【００３０】
図４および図５は、ダウンリンクのために使用されうる２つのサブフレームフォーマットを図示する。他のサブフレームフォーマットもまたサポートされうる。例えば、ブランクサブフレームフォーマットおよび／またはほぼブランクのサブフレームフォーマットがサポートされうる。ブランクサブフレームは、サブフレーム全体を送信しないようにすることができる。ほぼブランクのサブフレームは、全サブフレーム上で送信されるＣＲＳ、制御セクション内で送信された制御情報を含めうるが、データセクション内のデータを含まない。
【００３１】
図１で図示されるように、リレーは、ネットワークキャパシティを改善し、ネットワークカバレッジを高めるために、無線ネットワークにおいて展開されうる。これらのリレーは、一般的には、ハーフデュプレクスリレーでありうる、そしてそれらは、構成が簡単で低コストという理由により好まれる展開の選択でありうる。上述されるように、ハーフデュプレクスリレーは、一般的には、同時に同じ周波数帯で送信および受信することができない。これらのリレーは、別個のリソースを介して、バックホールリンクでそれらのドナーｅＮＢと通信し、アクセスリンクでそれらのＵＥと通信しうる。ＴＤＤリレーの場合、リレーについてのバックホールリンクおよびアクセスリンクは時間において多重化されうる。例えば、ダウンリンクで、ダウンリンクのためのいくつかの利用可能なサブフレームは、バックホールダウンリンクのために使用されうる、また、ダウンリンクのための他の何らかの利用可能なサブフレームはアクセスダウンリンクのために使用されうる。アップリンクで、アップリンクのためのいくつかの利用可能なサブフレームは、バックホールアップリンクのために使用されうる、また、アップリンクのための他の何らかの利用可能なサブフレームはアクセスアップリンクのために使用されうる。バックホール／アクセス分割はダウンリンクについて定義され、また、どのサブフレームがバックホールダウンリンクのために使用されるか、また、どのサブフレームがアクセスダウンリンクのために使用されるかを示すことができる。同様に、バックホール／アクセス分割はアップリンクについて定義され、また、どのサブフレームがバックホールアップリンクのために使用されるか、また、どのサブフレームがアクセスアップリンクのために使用されるかを示すことができる。動作を簡略にするために、アップリンクのためのバックホール／アクセス分割は、ダウンリンクのためのバックホール／アクセス分割に等しいが、ある数のサブフレームだけ（例、４サブフレーム）遅延する。下記の説明では、バックホール/アクセス分割は、ダウンリンクまたはアップリンクのいずれかのためのでありうる。バックホールリンクのために使用されるサブフレームは、バックホールサブフレームと呼ばれうる、また、アクセスリンクのために使用されるサブフレームはアクセスサブフレームと呼ばれうる。
【００３２】
ＴＤＤリレーのある共通の実装では、ドナーｅＮＢとそのサービス提供されたリレーのすべては、同じバックホール／アクセス分割を使用し、そしてそれは、非スタガスキーム (non-staggering scheme)と呼ばれうる。例えば、ダウンリンクのためのバックホール／アクセス分割の周期性は、Ｎ個のサブフレームでありうる、Ｍ個のサブフレームは、バックホールダウンリンクでドナーｅＮＢをリスンするためにリレーについてのバックホールサブフレームとして使用されうる、そしてＮ−Ｍ個のサブフレームは、アクセスダウンリンクでそれらのＵＥへ送信するために、リレーについてのアクセスサブフレームとして使用されうる。
【００３３】
一般的には、そのドナーｅＮＢをリスンすることに可能な限り多くの時間を費やすために、各バックホールサブフレームにおいて可能な限り少なくリレーが送信することが望ましい。これを容易にするために、バックホールサブフレームは、ＭＢＳＦＮサブフレーム、または、ブランクサブフレーム、または、ほぼブランクのサブフレーム、または、他の何らかのタイプのサブフレームで実装されうる。バックホールサブフレームについてのこれらの非レギュラーサブフレームのうちいずれかひとつを使用することによって、リレーは、そのドナーｅＮＢをリスンすることができるように、バックホールサブフレームのすべてまたは大部分において送信を中止可能でありうる。明瞭にするため、バックホールサブフレームに対するＭＢＳＦＮサブフレームの使用は、下記で説明される。
【００３４】
リレーは、あるサブフレームをＭＢＳＦＮサブフレームになるように構成することにより、そのバックホールサブフレームを実現しうる。各ＭＢＳＦＮサブフレームでは、リレーは、サブフレームの最初の１または２のシンボル期間においてＣＲＳおよび制御情報を送信しうる（例、図５で図示される）、また、サブフレームの残りのシンボル期間においてそのドナーｅＮＢをリスンしうる。ＬＴＥリリース８では、各無線フレームのサブフレーム０、４、５および９は、ＦＤＤにおいてＭＢＳＦＮサブフレームとして構成されることができない、また、各無線フレームのサブフレーム０、１、５、および６は、ＴＤＤにおいてＭＢＳＦＮサブフレームとして構成されることができない。明確にするために、下記の説明の多くはＦＤＤについてであるが、ＴＤＤについても適用可能である。ＭＢＳＦＮサブフレームとしてサブフレーム０、４、５、および９を構成できないことは、下記で説明されるように、サブフレームがバックホールサブフレームとして使用されることができるある制約を課すことがある。
【００３５】
図６は、図１のマクロｅＮＢ１１０およびリレー１２０ａ，１２０ｂ，および１２０ｃに対応しうる、ドナーマクロｅＮＢと３つのリレー１、リレー２およびリレー３を伴うシナリオの、サブフレームスタガリングを用いない例示的なバックホール／アクセス分割を図示する。サブフレームスタガリングを用いないと、ｅＮＢのサブフレームとすべてのリレーのサブフレームがタイムアラインされ、ｅＮＢおよびすべてのリレーは同じサブフレームインデクス付けを有する。ＦＤＤの場合、サブフレーム０、４、５および９はリレーによってＭＢＳＦＮサブフレームとして構成されることがないので、リレーによってアクセスサブフレームとして使用されうる。残りのサブフレーム１、２、３、６、７、および８は、リレーによってＭＢＳＦＮサブフレームとして構成されることができるので、起こりうるバックホールサブフレームでありうる。具体的に、サブフレーム１、２、３、６、７および８の各々は、バックホールサブフレームまたはアクセスサブフレームとして構成されうる。バックホールサブフレームとして構成するサブフレームの数は、バックホールリンクに関するトラフィックロードまたはデータ要件に依存しうる。
【００３６】
図６は、すべてのリレーについて使用されるサブフレームスタガリングを用いない例示的な共通バックホール／アクセス分割を図示する。この共通の分割では、サブフレーム０、４、５および９は、すべてのリレーによってアクセスサブフレームとして使用され、各残りのサブフレームは、すべてのリレーについての、バックホールサブフレームまたはアクセスサブフレームとして構成されうる。すべてのリレーは、各アクセスサブフレームにおいてそれらのＵＥへ送信しうる、また、各バックホールサブフレームにおいてマクロｅＮＢをリスンしうる。
【００３７】
ｅＮＢによってサービス提供されるすべてのリレーに対して共通のバックホール／アクセス分割（または共通の分割）を使用すること（例、図６で図示される）は、様々な限定を有しうる。第１に、共通の分割は、フレキシブルでないリソース割付を有しうる、また、リソースについてのボトルネックを生成しうる。例えば、バックホールリンクのキャパシティは、６のみまたはそれより少ないサブフレームが図６で図示される共通の分割のためのバックホールサブフレームとして使用されることができるため、制限されうる。第２に、共通の分割は、無駄なリソースを結果としてもたらすことがある。具体的には、すべてのリレーは、それらがそのサブフレームにスケジュールされないにもかかわらず、各バックホールサブフレームにおいてマクロｅＮＢをリスンする必要がある場合がある。バックホールサブフレームにおいてサービス提供されない各リレーは、アクセスリンクでの送信のためにサブフレームをよりよく使用することができる。第３に、共通の分割は、近隣リレーを見つける機会なく、リレーを提供しうる。すべてのリレーは、同じバックホールサブフレームにおいてリスンし、同じアクセスサブフレームにおいて送信するので、物理セルアイデンティティ（ＰＣＩ）プラニングおよび干渉管理目的で互いの送信をリスンする機会を有さないであろう。ＬＴＥリリース８では、最大５０４ＰＣＩ値ある。各セルは、ＣＲＳについてのサブキャリアオフセット、アップリンクリファレンスシーケンス調整、ランダムシーケンス初期化等のような様々な目的のために使用されるＰＣＩ値が割り当てられる。ＰＣＩプラニングは、近隣セルの中のＣＲＳ衝突または衝突なし（すなわち、同じまたは異なるオフセット）、セル内干渉のランダム化等という目的で重要である。リレー動作という文脈では、１つまたは複数のリレーは、ドナーｅＮＢによってサービス提供される、また、リレーによって直接サービス提供されたＵＥは、特にレンジ拡張技法が使用されるときに、ドナーｅＮＢからの干渉を観察する。このような場合、ＰＣＩプランニングはより重要となる。ＰＣＩプラニングはまた、リレーによってサービス提供されるＵＥが近隣リレーからの強い干渉を経験するとき、重要である。第４に、共通の分割は干渉管理を促進しないことがある。すべてのリレーが同じサブフレームで送信するので、近くのリレーは、互いに強い干渉を生成しうる。すべてのリレーについての共通分割の使用から生じる他の制限がありうる。
【００３８】
一態様では、サブフレームスタガリングが、リレー通信をサポートするために使用されうる。サブフレームスタガリングの場合、異なるリレーのサブフレームが互いにスタガされうる。同等に、各リレーのサブフレームインデクス付けは、同じドナーｅＮＢによってサービス提供される他のリレーのサブフレームインデクス付けからオフセットされうる。サブフレームスタガリングは、よりよいリソース使用をもたらし、リレーの中の近隣ディスカバリを迅速にし、および/または、他の利点を提供することができる、よりフレキシブルなバックホール/アクセス分割を可能にする。
【００３９】
図７は、ドナーマクロｅＮＢと３つのリレー１、２、および３を備えるシナリオの、サブフレームスタガリングを用いた例示的なバックホール／アクセス分割を図示する。このスタガ分割では、リレー１のサブフレームは、ｅＮＢのサブフレームとタイムアラインされる。リレー２のサブフレームは、１サブフレームのオフセットで、ｅＮＢのサブフレームについてスタガされる。したがって、ｅＮＢのサブフレームｎは、ｎ＝０，…，９，の場合、リレー２のサブフレーム（ｎ＋１）ｍｏｄ１０とタイムアラインされ、「ｍｏｄ」は、モジュロー動作を表す。リレー３のサブフレームは、２つのサブフレームのオフセットで、ｅＮＢのサブフレームについてスタガされる。したがって、ｅＮＢのサブフレームｎは、リレー３のサブフレーム（ｎ＋２）ｍｏｄ１０とタイムアラインされる。図７で図示される例では、３つのリレーは、０、１、および２サブフレームの異なるオフセットを有する。
【００４０】
異なるオフセットを伴う他のスタガリングも使用されうる。一般的には、Ｎ個のサブフレームの周期性を伴うバックホール／アクセス分割の場合、最大Ｎ個の異なるオフセットがリレーの最大Ｎ個のグループに使用されうる、なお、各グループは、１つまたは複数のリレーを含む。簡略のため、下記の説明の大半は、０、１、および２サブフレームのオフセットが、それぞれ、３つのリレー１、２、および３のために使用されるということを仮定する。
【００４１】
図７で示されるように、各リレーのサブフレーム０、４、５、および９は、ＭＢＳＦＮサブフレームとして構成されることができない、また、そのリレーによってアクセスサブフレームとして使用されうる。各リレーの残りのサブフレーム１、２、３、６、７および８は、ＭＢＳＦＮサブフレームとして構成されることができ、また、そのリレーによってバックホールサブフレームまたはアクセスサブフレームとして使用されうる。
【００４２】
サブフレームスタガリングを用いて、ｅＮＢは、各リレーについてのバックホールサブフレームとして使用されることができるサブフレームの異なるセットを有する。具体的には、ｅＮＢは、リレー１についてはバックホールサブフレームとしてそのサブフレーム１、２、３、６、７、および８を使用し、リレー２についてはバックホールサブフレームとしてそのサブフレーム０、１、２、５、６、および７を使用し、リレー３についてはバックホールサブフレームとしてそのサブフレーム０、１、４、５、６、および９を使用することができる。したがって、ｅＮＢは、３つのリレーとのバックホール通信のために、各無線フレームにおけるそのサブフレームのうち１０すべてを（図６の６サブフレームのみの代わりに）使用しうる。ｅＮＢは、そのリレーについてバックホールサブフレームとして使用されることができるいずれのサブフレームにおいて各リレーに対して送信しうる。
【００４３】
サブフレームスタガリングを用いて、ｅＮＢは、各リレーについてのバックホール／アクセス分割の異なる構成を有しうる。各リレーについての分割構成は、そのリレーについてのバックホールサブフレームとアクセスサブフレームを示しうる。異なるリレーは、異なるバックホールサブフレームとアクセスサブフレームを有しうる。異なるオフセットを伴う十分なリレーの数を用いて、少なくとも１つのリレーは、各無線フレームの各サブフレームにおけるアクセスリンクで送信可能でありうる、また、少なくとも１つのリレーは、各サブフレームにおいてバックホールリンクでｅＮＢによってサービス提供されうる。
【００４４】
ある設計では、リレーの複数のグループ(またはクラスタ)が形成されうる。各グループは１つまたは複数のリレーを含めうる、また、特定のサブフレームオフセットと関連づけられうる。リレーの異なるグループは、異なるサブフレームオフセットと関連づけられうる、したがって、バックホール／アクセス分割の異なる構成を有しうる。リレーのすべてのグループについての分割構成は、利用可能なリソースが効率的に使用されることができるように定義されうる。
【００４５】
リレーは、様々な方式で、また、様々な基準に基づいて、グループの中へ配置されうる。ある設計では、アクセスダウンリンクで互いに強い干渉を引き起こすリレーは、それらのアクセスサブフレームが最小限でオーバラップするように異なるグループに配置されうる。このことは、それらのＵＥへのアクセスダウンリンクのこれらのリレーによるダウンリンク送信に起因する干渉を減らすまたは回避しうる。別の設計では、近接であるゆえにリレー間干渉に苦しむ可能性があるリレーは、干渉管理を促進させるために同じグループに配置されうる。リレー間干渉は、別のリレーのバックホールリンクで１つのリレーのアクセスリンクに起因する干渉を含めうる。同じグループにこれらのリレーを配置することは、別のリレーが同じ周波数帯で受信している間に、あるリレーが送信することを回避しうる。さらに別の設計では、近隣リレーを見つける必要があるリレーは、異なるグループに配置されうる。このことは、他のリレーのアクセスサブフレームとオーバラップするそのリレーのバックホールサブフレームにおいて、他のリレーからの送信を各リレーがリスンすることを可能にしうる。さらに別の設計では、リレーのグループは、ロードバランシングを考慮することによって形成されうる。例えば、厳しくバックホール制限されうるリレーは、より多くのバックホールサブフレームがこれらのリレーに利用可能であるように、別個のグループにおいて配置されうる。リレーはまた、他の基準に基づいてグループに配置されうる。
【００４６】
ある設計では、ドナーｅＮＢは、上述の基準のうち１つまたは複数に基づいて、リレーのグループを形成しうる。ｅＮＢは、リレーとの通信を介して、または、自動的に、リレーのグループを形成しうる。ある設計では、リレーのグルーピングは、半静的または動的に変動しうる。例えば、２つのリレーは、近隣ディスカバリのために別個のグループに最初配置されうる。その後、これらの２つのリレーはリレー間干渉を起こしていると判断して、該リレー間干渉を緩和するように同一グループ内に配置される。
【００４７】
サブフレームスタガリングは様々な利点を提供しうる。最初に、サブフレームスタガリングは、フレキシブルなリソース割付を許容しうる。具体的には、リレーは、バックホールまたはアクセスリソースがサブフレームの合計数で効果的に制限されるように、理知的にグループの中へと配置されうる。サブフレームスタガリングを用いず、ＭＢＳＦＮサブフレームがバックホールサブフレームのために使用される場合には、バックホールサブフレームの合計数は、無線フレームあたり６サブフレームに制限されうる。第２に、サブフレームスタガリングは、すべてのサブフレームがサブフレームスタガリングを用いてバックホールリンクまたはアクセスリンクのために使用される可能性があるので、リソース浪費を回避または減らすことができる。第３に、サブフレームスタガリングは、リレーの中で近隣を見つけることを促進しうる。具体的には、異なるサブフレームオフセットを伴うリレーは、バックホール/アクセス分割の異なる設定を有しうる、そしてそれは、これらのリレーが、それらのバックホールサブフレームを使用して、他のリレーからのダウンリンク送信をモニタすることを可能にすることができる。リレーは、ＰＣＩプラニングと干渉管理目的で近隣リレーを見つけることができる。調整サイレンシング(Coordinated silencing)はまた、近隣リレーを見つけることをサポートするために使用されうる。調整サイレンシングを用いて、リレーは、サイレントを維持するリレーが近隣リレーのＰＢＣＨ、ＰＳＳ、およびＳＳＳを検出すことができるある調整方式でそれらのＰＢＣＨ、ＰＳＳ、およびＳＳＳ送信をサイレンスにしうる。しかしながら、近隣リレーのディスカバリは、サブフレームスタガリングを用いるとずっと簡単であることがある。第４に、サブフレームスタガリングは、リレーについてのよりよい干渉管理を許容しうる。例えば、近接しているリレーは、それらが同じグループに配置される場合には干渉の縮小を得ることができるので、リレー間干渉を回避することができる。
【００４８】
無線ネットワークは、ＷＡＮリンク、バックホールリンク、および／またはアクセスリンクで、ＨＡＲＱでデータ送信をサポートしうる。ＨＡＲＱに関しては、送信機は、受信機へパケットの初期送信を送信しうる、また、必要であれば、パケットの１つまたは複数のさらなる送信を、パケットが受信機によって正確に復号されるまで、または、他の何らかの終了条件が合うまで、送信しうる。ＬＴＥは、アップリンクで同期ＨＡＲＱをサポートし、ダウンリンクで非同期ＨＡＲＱをサポートする。同期ＨＡＲＱの場合、パケットの送信すべてが単一インタレースのサブフレームにおいて送信されうる。インタレースの数は定義されうる、また、各インタレースは、Ｓ個のサブフレームで離れた間隔をあけられるサブフレームを含めうる、なお、Ｓは、８または他の何らかの値に等しくてもよい。非同期ＨＡＲＱの場合、パケットの各送信はスケジュールされうる、また、任意のサブフレームにおいて送信されうる。
【００４９】
別の態様では、リレーについてのバックホール/アクセス分割構成は、偶数インデクスを伴うすべてのサブフレーム、または、奇数インデクスを伴うすべてのサブフレームのいずれかがリレーについてのアクセスサブフレームであるように定義されうる。この設計は、リレーについてのアクセスリンクで同期ＨＡＲＱをサポートすることができる。例えば、パケットの初期送信が奇数サブフレーム(または偶数サブフレーム)で送信される場合には、すべての奇数サブフレーム(またはすべての偶数サブフレーム)は、パケットの後続送信のために使用される可能性がある。これは各無線フレームが１０個のサブフレームを含むが、追加の送信がプライア送信の後８個のサブフレームを送信されうるためである。例えば、初期送信は、サブフレーム０で送信され、後続送信は、サブフレーム８、サブフレーム６、サブフレーム４、サブフレーム２等で送信されうる。アクセスリンクのためのＨＡＲＱは、アクセスサブフレームとして奇数インデクスを伴うすべてのサブフレームまたは偶数インデクスを伴うすべてのサブフレームを含むようにリレーについての分割構成を定義することによってサポートされうる。
【００５０】
図８は、ドナーマクロｅＮＢと３つのリレー１、２、および３を伴うシナリオの、ＨＡＲＱのためのサポートとサブフレームスタガリングを用いる例示的なバックホール／アクセス分割を示す。このスタガ分割では、リレー１、２および３のサブフレームは、上記で図７について説明されるように、それぞれ、０、１および２サブフレームのオフセットで、ｅＮＢのサブフレームについてスタガされる。図８で図示される設計では、各リレーの偶数インデクスを伴うすべてのサブフレームがそのリレーのアクセスサブフレームのために使用される。この設計では、リレーについてのアクセスサブフレームがスタガされる。この設計は、ｅＮＢについての起こりうるバックホールサブフレームの合計数を増大させうる。
【００５１】
図８で図示されていない別の設計では、すべてのリレーのアクセスサブフレームがタイムアラインされうる。例えば、リレー１の偶数インデクスを伴うすべてのサブフレームは、アクセスサブフレームとして使用されうる、リレー２の奇数インデクスを伴うすべてのサブフレームは、アクセスサブフレームとして使用されうる、そして、リレー３の偶数インデクスを伴うすべてのサブフレームはアクセスサブフレームとして使用されうる。この例では、すべてのリレーのアクセスサブフレームは、ｅＮＢの偶数インデクスを伴うサブフレームに対応する。あるいは、すべてのリレーのアクセスサブフレームは、ｅＮＢの奇数インデクスを伴うサブフレームに対応しうる。
【００５２】
リレーの偶数インデクスまたは奇数インデクスを伴うすべてのサブフレームはまた、サブフレームスタガリングを用いないアクセスサブフレームのために使用されうる。ある設計では、３つのリレー１、２、および３のすべては、同じバックホール／アクセス分割の構成を有しうる、そしてそれは、図８のリレー１についての分割構成でありうる。別の設計では、いくつかのリレー（例、リレー１および３）の偶数インデクスを伴うすべてのサブフレームはアクセスサブフレームのために使用されしうる、また、他の何らかのリレー（例、リレー２）の奇数インデクスを伴うすべてのサブフレームはアクセスサブフレームのために使用されうる。リレーのアクセスサブフレームはまた、他の方式で定義されうる。
【００５３】
さらに別の態様では、リザーブされたサブフレームはレンジ拡張をサポートするために使用されうる、そしてそれは、マクロｅＮＢがＵＥによってより強く受信されるにもかかわらずＵＥがリレーと関連づけることができるシナリオである。このようなシナリオでは、ＷＡＮダウンリンクでｅＮＢからのダウンリンク送信は、アクセスダウンリンクでのリレーからＵＥへのダウンリンク送信に対して過剰な干渉を引き起こすことがある。ｅＮＢは、いくつかのサブフレームをリザーブされたサブフレームとして構成することができ、ＵＥへの干渉を減らすために、各リザーブされたサブフレームにおいてその送信電力を送信することを回避するまたは減らすことができる。リレーは、リザーブされたサブフレームにおいてＵＥおよび／または他の「拡張カバレッジ」ＵＥへダウンリンク送信を送信して、ｅＮＢからの少ない干渉または干渉なしを観察しうる。リレーはまた、拡張カバレッジＵＥにサービス提供するためのこれらのサブフレームにおけるリソースをすべて使い切れない場合には、リザーブされたサブフレームにおいて他のＵＥにサービス提供しうる。
【００５４】
リザーブされたサブフレームは、ＭＢＳＦＮサブフレーム、または、ブランクサブフレーム、または、ほぼブランクのサブフレーム、または、他の何らかのタイプのサブフレームで実装されうる。リザーブされたサブフレームについてのこれらの非レギュラーサブフレームのうちのいずれか１つを使用することによって、ｅＮＢは、拡張カバレッジＵＥへの干渉を減らすことができるように、リザーブされたサブフレームのすべてまたは大部分においてその送信電力を（ノーゼロまたは低レベルに）減らすことができる。明瞭にするため、リザーブされたサブフレームについてのＭＢＳＦＮサブフレームの使用が下記で説明されている。リザーブされたサブフレームがＭＢＳＦＮサブフレームで実装される場合には、ｅＮＢのサブフレーム０、４、５、および９は、ＬＴＥリリース８では、ＦＤＤについてのリザーブされたサブフレームとして構成されることができない。したがって、リザーブされたサブフレームは、サブフレーム１、２、３、６、７、および８に限定されうる。
【００５５】
表１は、バックホールサブフレーム、アクセスサブフレーム、およびリザーブされたサブフレームを実装する設計を図示する。リレーは、アクセスリンクでの送信の量を減らすために、ＭＢＳＦＮサブフレームとしてそのバックホールサブフレームを構成しうる。ｅＮＢは、拡張されたカバレッジＵＥにもたらされた干渉の量を減らすために、ＭＢＳＦＮサブフレームとしてそのリザーブされたサブフレームを構成しうる。他のタイプのサブフレームはまた、バックホールサブフレームとリザーブされたサブフレームのために使用されうる。
【表１】
0005897689.tif 000002
【００５６】
リザーブされたサブフレームは、サブフレームスタガリングと組み合わせて使用されうる。しかしながら、異なるリレー（またはリレーの異なるグループ）についてのサブフレームオフセットは、リザーブされたサブフレームがＭＢＳＦＮサブフレームとして構成される場合には注意して選択されるべきである。
【００５７】
図９は、ドナーマクロｅＮＢと３つのリレー１、２および３を伴うシナリオの、サブフレームスタガリングおよびリザーブされたサブフレームを伴う例示的なバックホール／アクセス分割を図示する。このスタガ分割では、リレー１、２および３のサブフレームは、それぞれ、０、１および２サブフレームのオフセットで、ｅＮＢのサブフレームについてスタガされる。図９で図示される例では、ｅＮＢのサブフレーム２および６は、リザーブされたサブフレームとして構成される。一般的には、ｅＮＢのサブフレーム１、２、３、６、７、および８のいずれか１つは、リザーブされたサブフレームとして指定されうる、また、ＭＢＳＦＮサブフレームとして構成されうる。
【００５８】
図９で図示される例では、リレー１のサブフレームは、ｅＮＢのサブフレームとタイムアラインされる。リレー１についてのアクセスサブフレームは、リレー１のサブフレーム０、４、５および９（ＭＢＳＦＮサブフレームとして構成されることができない）、ならびに、リレー１のサブフレーム２および６（ｅＮＢのリザーブされたサブフレーム２および６に対応する）を含めうる。リレー２のサブフレームは、１サブフレームのオフセットで、ｅＮＢのサブフレームについてスタガされる。リレー２についてのアクセスサブフレームは、リレー２のサブフレーム０、４、５および９（ＭＢＳＦＮサブフレームとして構成されることができない）、ならびに、リレー２のサブフレーム３および７（ｅＮＢのリザーブされたサブフレーム２および６に対応する）を含めうる。リレー３のサブフレームは、２つのサブフレームのオフセットで、ｅＮＢのサブフレームについてスタガされる。リレー３についてのアクセスサブフレームは、リレー３のサブフレーム０、４、５、および９（ＭＢＳＦＮサブフレームとして構成されることができない）、ならびに、リレー３のサブフレーム８（ｅＮＢのリザーブされたサブフレーム６に対応する）を含めうる。
【００５９】
一般的には、Ｎ個のサブフレームの周期性を用いたバックホール／アクセス分割の場合、最大Ｎ個の異なるサブフレームオフセットが、リレーの最大Ｎ個のグループのために使用されうる。バックホール／アクセス分割の最大Ｎ個の異なる構成が、１つまたは複数のリザーブされたサブフレームの所与のセットを伴う異なるサブフレームオフセットについて定義されうる。図９は、２つのリザーブされたサブフレーム２および６の場合の１０の起こりうる分割構成のうち３つを図示する。
【００６０】
リザーブされたサブフレームは、リレーによってアクセスリンクについて使用されることがあり、また、リレーによってバックホールリンクについて使用されないことがある。したがって、リザーブされたサブフレームは、例えば、図７と図９を比較することによって図示されるように、各リレーについての起こりうるバックホールサブフレームの数を減らすことができる。より少ない起こりうるバックホールサブフレームは、リザーブされたサブフレームの使用によって与えられるレンジ拡張の性能における強化によって正当化されうる。
【００６１】
リザーブされたサブフレームはまた、サブフレームスタガリングを用いず、レンジ拡張をサポートするために使用されうる。この場合、すべての３つのリレーは、図９のリレー１のための分割構成である、同じバックホール／アクセス分割構成を有しうる。
【００６２】
図１０は、ドナーマクロｅＮＢおよび３つのリレー１、２および３を伴うシナリオの、ＨＡＲＱのためのサポート、リザーブされたサブフレーム、サブフレームスタガリングを用いた例示的なバックホール／アクセス分割を図示する。このスタガ分割では、リレー１、２および３のサブフレームが、それぞれ、０、１および２サブフレームのオフセットで、ｅＮＢのサブフレームについてスタガされる。図１０で図示される例では、ｅＮＢのサブフレーム２および６は、リザーブされたサブフレームとして構成される。各リレーのアクセスサブフレームは、これらのアクセスサブフレームがｅＮＢのリザーブされたサブフレームを含むように定義されうる。したがって、リレー１のアクセスサブフレームは、偶数インデクスを伴うリレー１のサブフレームすべてを含めうる。リレー２のアクセスサブフレームは、奇数インデクスを伴うリレー２のサブフレームすべてを含めうる。リレー３のアクセスサブフレームは、偶数インデクスを伴うリレー３のサブフレームすべてを含めうる。したがって、各リレーは、そのアクセスサブフレーム上でそのＵＥのためのＨＡＲＱでデータ送信をサポートすることができる。
【００６３】
サブフレームスタガリングは、ＨＡＲＱがより効率的にサポートされることを許容しうる。サブフレームスタガリングが使用されない場合には、利用可能なサブフレーム(例、すべて偶数またはすべて奇数のサブフレーム)のうち少なくとも半分がアクセスサブフレームに使用されうる。さらに、残りのサブフレームのいくつかは、ＭＢＳＦＮサブフレームの制約により、バックホールサブフレームであることができない。概して、最大３つのサブフレームは、サブフレームスタガリングが使用されない場合には、各無線フレームにおいてすべてのリレーについてのバックホールサブフレームとして使用するために利用しうる。このことは、バックホールリンクのキャパシティを制限しうる、また、ネットワーク性能に悪影響を与えうる。サブフレームスタガリングの使用は、ネットワーク性能を改善する、すべてのリレーについての起こりうるバックホールサブフレームの数（例、図１０では６サブフレームまで）を大いに増大させうる。
【００６４】
図１１は、第１のリレーによって通信をサポートするためのプロセス１１００の設計を図示する。第１のリレーは、第１のリレーのアクセスサブフレームとバックホールサブフレームを決定することができる（ブロック１１１２）。アクセスサブフレームとバックホールサブフレームは、第１のリレーのサブフレームの異なる非オーバラッピングサブセットに対応しうる。第１のリレーは、第１のリレーのアクセスサブフレームの間にアクセスリンクで少なくとも１つのＵＥと通信することができる（ブロック１１１４）。第１のリレーは、第１のリレーのバックホールサブフレームの間にバックホールリンクで基地局と通信することができるしうる（ブロック１１１６）。第１のリレーのサブフレームは、例えば図７で図示されるように、基地局と通信する第２のリレーのサブフレームから（例、整数個のサブフレームだけ）オフセットされうる。
【００６５】
第１のリレーは、第１のリレーが基地局と通信することができる、起こりうるバックホールサブフレームの第１セット（例、図７のリレー１のサブフレーム１、２、３、６、７、および８）を有しうる。第２のリレーは、第２のリレーが基地局と通信することができる、起こりうるバックホールサブフレームの第２セット（例、図７のリレー２のサブフレーム１、２、３、６、７、および８）を有しうる。第１および第２のリレーについての起こりうるバックホールサブフレームの第１および第２セットのスーパーセット（例、図７のマクロｅＮＢのサブフレーム０〜３、５〜８に対応する）は、第１のリレーのサブフレームと第２のリレーのサブフレームとの間のオフセットに起因して増大されうる。このマクロｅＮＢについて起こりうるバックホールサブフレームの数の増大は、図６と図７を比較することによって見出されることができる。
【００６６】
ある設計では、第１のリレーについての起こりうるバックホールサブフレームの第１セットは、第１のリレーによってＭＢＳＦＮサブフレームとして構成されることができるすべてのサブフレームを含めうる。別の設計では、起こりうるバックホールサブフレームの第１セットは、ブランクサブフレーム、または、ほぼブランクのサブフレーム、他の何らかのタイプのサブフレームとして構成されることができるサブフレームを含めうる。ある設計では、第１のリレーのバックホールサブフレームは、第１のリレーについての起こりうるバックホールサブフレームの第１セットから選択されうる。第１のリレーは、第１のリレーが各バックホールサブフレームにおいて可能な限り少なく送信することができるように、ＭＢＳＦＮサブフレーム、または、ブランクサブフレーム、または、ほぼブランクのサブフレーム、または他の何らかのタイプのサブフレームとして、そのバックホールサブフレームの各々を構成しうる。
【００６７】
第１のリレーのサブフレームは、第２のリレーのサブフレームから第１の量だけ（例、１サブフレーム）オフセットされうる、さらに、基地局と通信する第３のリレーのサブフレームから第２の量だけ（例、２サブフレーム）オフセットされうる。第２の量は第１の量とは異なっていてもよい。一般的には、第１のリレーのサブフレームは、任意の数の異なるオフセットだけ、任意の数のリレーのサブフレームからオフセットされうる。
【００６８】
ある設計では、第１のリレーのアクセスサブフレームは、例えば図８で図示されるように、第１のリレーの偶数インデクスを伴うすべてのサブフレーム、または、奇数インデクスを伴うすべてのサブフレームのいずれかを含めうる。第１のリレーは、第１のリレーのアクセスサブフレームの間に少なくとも１つのＵＥによってＨＡＲＱで送信されたデータ送信を受信しうる。
【００６９】
ある設計では、例えば図９で図示されるように、第１のリレーのアクセスサブフレームのうち少なくとも１つは、基地局の少なくとも１つのリザーブされたサブフレームに対応しうる。各リザーブされたサブフレームは、第１のリレーと通信する少なくとも１つのＵＥへの干渉を減らすために、基地局から縮小された送信電力を有しうる（例、低い送信電力を有するまたは送信電力を有さない）。
【００７０】
ある設計では、リレーの複数グループは、上述される基準のうち１つまたは複数に基づいて形成されうる。各グループは、少なくとも１つのリレーを含めうる。第１のリレーは、第１のサブフレームオフセットと関連づけられたリレーの第１グループに属しうる。第２のリレーは、第２のサブフレームオフセットと関連づけられたリレーの第２グループに属しうる、なお、第２のサブフレームオフセットは、第１のサブフレームオフセットとは異なっていてもよい。
【００７１】
ある設計では、ダウンリンクでの通信の場合、第１のリレーは、（ｉ）ブロック１１１４で第１のリレーのアクセスサブフレームの間に少なくとも１つのＵＥへデータ送信を送信し、（ｉｉ）ブロック１１１６で第１のリレーのバックホールサブフレームの間に基地局からデータ送信を受信することができる。別の設計では、アップリンクでの通信の場合、第１のリレーは、（ｉ）ブロック１１１４で第１のリレーのアクセスサブフレームの間に少なくとも１つのＵＥからデータ送信を受信し、（ｉｉ）ブロック１１１６で第１のリレーのバックホールサブフレームの間に基地局へデータ送信を送信することができる。
【００７２】
第１のリレーは、第１のリレーのバックホールサブフレームの少なくとも１サブセットの間に他のリレーを検出しうる。調整サイレンシングの場合、第１のリレーは、他のリレーを検出するために、第１のリレーのバックホールサブフレームのサブセットの間に、少なくとも１つのブロードキャストチャネル（例、ＰＢＣＨ）および／または少なくとも１つの同期信号（例、ＰＳＳおよびＳＳＳ）の送信をサイレントにしうる。
【００７３】
図１２は、リレーによる通信をサポートするための装置１２００の設計を図示する。装置１２００は、第１のリレーのアクセスサブフレームとバックホールサブフレームを決定するモジュール１２１２と、なお、アクセスサブフレームとバックホールサブフレームは、第１のリレーのサブフレームの異なる非オーバラッピングサブセットに対応する；第１のリレーのアクセスサブフレームの間に第１のリレーによって、少なくとも１つのＵＥと通信するモジュール１２１４と；第１のリレーのバックホールサブフレームの間に第１のリレーによって基地局と通信するモジュール１２１６と、なお、第１のリレーのサブフレームは、基地局と通信する第２のリレーのサブフレームからオフセットされる；を含む。
【００７４】
図１３は、基地局による通信をサポートするためのプロセス１３００の設計を図示する。基地局は、第１のリレーの第１のバックホールサブフレームと、第２のリレーの第２のバックホールサブフレームを決定することができる（ブロック１３１２）。第１および第２のバックホールサブフレームは、基地局のサブフレームの異なる（オーバラップしている、または、非オーバラップしている）サブセットに対応しうる。第１のリレーのサブフレームは、第２のリレーのサブフレームからオフセットされうる。基地局は、第１のバックホールサブフレームの間に第１のリレーと通信することができる（ブロック１３１４）。基地局は、第２のバックホールサブフレームの間に第２のリレーと通信することができる（ブロック１３１６）。
【００７５】
ある設計では、基地局は、第１のリレーが基地局と通信可能である起こりうるバックホールサブフレームの第１セットから、第１のバックホールサブフレームを選択しうる。基地局は、第２のリレーが基地局と通信可能である起こりうるバックホールサブフレームの第２セットから第２のバックホールサブフレームを選択しうる。ある設計では、起こりうるバックホールサブフレームの第１セットは、第１のリレーによってＭＢＳＦＮサブフレームとして構成されることができるすべてのサブフレームを含めうる。起こりうるバックホールサブフレームの第２セットは、第２のリレーによってＭＢＳＦＮサブフレームとして構成されることができるすべてのサブフレームを含めうる。別の設計では、各リレーについての起こりうるバックホールサブフレームは、そのリレーによって、ブランクサブフレーム、または、ほぼブランクのサブフレーム、他の何らかのタイプのサブフレームとして構成されることができるサブフレームを含めうる。いずれの場合においても、第１および第２のリレーについての起こりうるバックホールサブフレームの第１および第２セットのスーパーセットは、第１のリレーのサブフレームと第２のリレーのサブフレームとの間のオフセットに起因して増大されうる。ある設計では、第１のリレーについての第１バックホールサブフレームのうち少なくとも１つ（例、図７のリレー１のバックホールサブフレーム３）は、第２のリレーの少なくとも１つのアクセスサブフレーム（例、図７のリレー２のアクセスサブフレーム４）に対応しうる。
【００７６】
ある設計では、第１のバックホールサブフレームは、第１のリレーの、奇数インデクスを伴うすべてのサブフレームまたは偶数インデクスを伴うすべてのサブフレームのいずれかを除くことができる。このことは、そのＵＥのＨＡＲＱでデータ送信を第１のリレーがサポートすることを可能にする。同様に、第２のバックホールサブフレームは、第２のリレーの、奇数インデクスを伴うすべてのサブフレームまたは偶数インデクスを伴うすべてのサブフレームのいずれかを除くことができる。
【００７７】
ある設計では、基地局は、第１のリレーの少なくとも１つのアクセスサブフレームに対応する基地局の少なくとも１つのリザーブされたサブフレームを決定しうる。基地局は、第１のリレーまたは第２のリレーと通信するＵＥへの干渉を減らすために、少なくとも１つのリザーブされたサブフレームの間にその送信電力を（例、ゼロまたは低い値に）減らすことができる。ある設計では、基地局が各リザーブされたサブフレームにおいて可能な限り少なく送信することができるように、基地局は、各リザーブされたサブフレームを、ＭＢＳＦＮサブフレーム、または、ブランクサブフレーム、または、ほぼブランクのサブフレーム、または他の何らかのタイプのサブフレームとして構成しうる。
【００７８】
ある設計では、基地局は、第３のリレーについての第３のバックホールサブフレームを決定しうる。第３のバックホールサブフレームは、基地局のサブフレームの別のサブセットに対応しうる。第３のリレーのサブフレームは、第１および第２のリレーのサブフレームからオフセットされうる。基地局は、第３のバックホールサブフレームの間に第３のリレーと通信しうる。
【００７９】
ある設計では、基地局は、第１のリレーを含み第１のサブフレームオフセットと関連づけられたリレーの第１グループを決定しうる。基地局は、第２のリレーを含み、第２のサブフレームオフセットと関連づけられたリレーの第２グループを決定することができ、第２のサブフレームオフセットは、第１のサブフレームオフセットとは異なっていてもよい。一般的には、第１のグループおよび第２のグループを含んでいるリレーの複数グループは、上述される基準のうち１つまたは複数に基づいて形成されうる。各グループは、少なくとも１つのリレーを含めうる。
【００８０】
図１４は、基地局によって通信をサポートするための装置１４００の設計を図示する。装置１４００は、第１のリレーの第１のバックホールサブフレームと、第２のリレーの第２のバックホールサブフレームを決定するモジュール１４１２と、なお、第１および第２のバックホールサブフレームは、基地局のサブフレームの異なるサブセットに対応し、第１のリレーのサブフレームは、第２のリレーのサブフレームからオフセットされる；第１のバックホールサブフレームの間に基地局によって第１のリレーと通信するモジュール１４１４と；第２のバックホールサブフレームの間に基地局によって第２のリレーと通信するモジュール１４１６と；を含む。
【００８１】
図１５は、ＵＥによって通信するためのプロセス１５００の設計を図示する。ＵＥは、ＵＥと基地局との間の通信のために第１のリレーにアクセスすることができる（ブロック１５１２）。ＵＥは、第１のリレーのアクセスサブフレームの間に第１のリレーと通信することができる（ブロック１５１４）。第１のリレーのアクセスサブフレームは、第１のリレーのサブフレームの第１サブセットに対応しうる。第１のリレーと第２のリレーは基地局と通信しうる、また、第１のリレーのサブフレームは第２のリレーのサブフレームからオフセットされうる。
【００８２】
ＵＥは、第１のリレーのバックホールサブフレームの間に、第１のリレーから信号（例、ＣＲＳ）を受信することができる（ブロック１５１６）。第１のリレーのバックホールサブフレームは、第１のリレーのサブフレームの第２サブセットに対応しうる、そしてそれは、第１のリレーのサブフレームの第１サブセットと非オーバラップであることがある。第１のリレーのバックホールサブフレームは、第１のリレーによって、ＭＢＳＦＮサブフレーム、または、ブランクのサブフレーム、または、ほぼブランクのサブフレーム、または他の何らかのタイプのサブフレームとして構成されうる。
【００８３】
ある設計では、第１のリレーのアクセスサブフレームは、例えば図８で図示されるように、第１のリレーの偶数インデクスを伴うすべてのサブフレーム、または、奇数インデクスを伴うすべてのサブフレームのいずれかを含めうる。ＵＥは、ブロック１５１４で、第１のリレーのアクセスサブフレームの間に第１のリレーへ、ＨＡＲＱでデータ送信を送信することができる。
【００８４】
ある設計では、第１のリレーのアクセスサブフレームの少なくとも１つは、基地局の少なくとも１つのリザーブされたサブフレームに対応しうる。少なくとも１つのリザーブされたサブフレームは、第１のリレーと通信する少なくとも１つのＵＥへの干渉を減らすために、基地局から縮小された送信電力（例えば、低い送信電力または送信電力なし）を有しうる。
【００８５】
図１６は、ＵＥによって通信するためのプロセス１６００の設計を図示する。装置１６００は、ユーザ機器（ＵＥ）と基地局との間の通信のためにＵＥによって第１のリレーにアクセスするモジュール１６１２と；第１のリレーのアクセスサブフレームの間にＵＥによって第１のリレーと通信するモジュール１６１４と、なお、第１のリレーのアクセスサブフレームは、第１のリレーのサブフレームの第１サブセットに対応し、第１のリレーと第２のリレーは、基地局と通信し、第１のリレーのサブフレームは、第２のリレーのサブフレームからオフセットされる；第１のリレーのバックホールサブフレームの間にＵＥによって第１のリレーから信号を受信するモジュール１６１６と、なお、第１のリレーのバックホールサブフレームは、第１のリレーのサブフレームの第２のサブセットに対応する；を含む。
【００８６】
図１２、図１４および図１６のモジュールは、プロセッサ、電子デバイス、ハードウェアデバイス、電子コンポーネント、論理回路、メモリ、ソフトウェアコード、ファームウェアコード等、またはそれらのいずれの組み合わせを備えうる。
【００８７】
図１７は、図１のＵＥのうちの１つとリレーのうち１つでありうる、ＵＥ１３０、リレー１２０、および基地局／ｅＮＢ１１０の設計のブロック図を図示する。基地局１１０は、リレー１２０を介してダウンリンクで１つまたは複数のＵＥへ送信を送信することができる、また、リレー１２０を介してアップリンクで１つまたは複数のＵＥから送信を受信することができる。簡略のため、ＵＥ１３０のみへ送信された且つＵＥ１３０のみから受信された、送信のための処理が下記で説明されている。
【００８８】
基地局１１０で、送信プロセッサ１７１０は、データのパケットを受信してＵＥ１３０へ送信することができる、また、選択された変調および符号化スキームにしたがって各パケットを処理し（例、符号化し復調し）、データシンボルを得ることができる。ＨＡＲＱの場合、プロセッサ１７１０は、各パケットの複数の送信を生成することができる、また、一度に１つの送信を提供することができる。プロセッサ１７１０はまた、制御情報を処理して制御シンボルを得て、基準信号についての基準シンボルを生成し、データシンボル、制御シンボル、そして基準シンボルを多重化することができる。プロセッサ１７１０は、多重化されたシンボル（例、ＯＦＤＭ用など）をさらに処理して、出力サンプルを生成することができる。送信機（ＴＭＴＲ）１７１２は、出力サンプルを調整して（例、アナログ変換し、増幅し、フィルタリングし、そしてアップコンバートする）、ダウンリンク信号を生成することができる、そしてダウンリンク信号は、リレー１２０およびＵＥへ送信されることができる。
【００８９】
リレー１２０で、基地局１１０からのダウンリンク信号は、受信され、受信機（ＲＣＶＲ）１７３６へ提供されることができる。受信機１７３６は、受信信号を調整し（例、フィルタリングし、増幅し、ダウンコンバートし、デジタル化する）、入力サンプルを提供することができる。受信プロセッサ１７３８は、入力サンプル（例えば、ＯＦＤＭ用など）を処理して、受信シンボルを得ることができる。プロセッサ１７３８は、受信シンボルをさらに処理し（例、復調し復号し）、ＵＥ１３０へ送信されたデータおよび制御情報を復元することができる。送信プロセッサ１７３０は、基地局１１０と同じ方法で、プロセッサ１７３８からの復元されたデータおよび制御情報を処理して（例、符号化し変調する）、データシンボルおよび制御シンボルを得ることができる。プロセッサ１７３０はまた、基準シンボルを生成し、その基準シンボルでデータおよび制御シンボルを多重化し、その多重化されたシンボルを処理して出力サンプルを得ることができる。送信機１７３２は、出力サンプルを調整し、ダウンリンク信号を生成することができ、ダウンリンク信号は、ＵＥ１３０へ送信されることができる。
【００９０】
ＵＥ１３０で、基地局１１０からのダウンリンク信号と、リレー１２０からのダウンリンクリレー信号は、受信機１７５２によって受信され調整され、受信プロセッサ１７５４によって処理されてＵＥ１３０へ送信されたデータおよび制御情報を復元することができる。コントローラ／プロセッサ１７６０は、正確に復号されたパケットのためのＡＣＫ情報を生成することができる。アップリンクで送信されるべきデータおよび制御情報（例、ＡＣＫ情報）は、送信プロセッサ１７５６によって処理され、送信機１７５８によって調整されて、アップリンク信号を生成し、アップリンク信号はリレー１２０へ送信されることができる。
【００９１】
リレー１２０で、ＵＥ１３０からのアップリンク信号は、受信機１７３６によって受信され調整され、受信プロセッサ１７３８によって処理されて、ＵＥ１３０によって送信されたデータおよび制御情報を復元することができる。復元されたデータおよび制御情報は、送信プロセッサ１７３０によって処理され、送信機１７３２によって調整されて、アップリンクリレー信号を生成し、アップリンクリレー信号は、基地局１１０へ送信されることができる。基地局１１０で、リレー１２０からのアップリンクリレー信号は、受信機１７１６によって受信され調整され、受信プロセッサ１７１８によって処理されて、リレー１２０を介してＵＥ１３０によって送信されたデータおよび制御情報を復元することができる。コントローラ／プロセッサ１７２０は、ＵＥ１３０からの制御情報に基づいてデータの送信を制御することができる。
【００９２】
コントローラ／プロセッサ１７２０、１７４０、および１７６０は、それぞれ、基地局１１０、リレー１２０、およびＵＥ１３０で動作を命令することができる。コントローラ／プロセッサ１７２０は、図１４のプロセス１４００および／またはここで説明される技法に関する他のプロセスを実行または命令することができる。コントローラ／プロセッサ１７４０は、図１２のプロセス１２００および／またはここで説明される技法に関する他のプロセスを実行または命令することができる。コントローラ／プロセッサ１７６０は、図１６のプロセス１６００および／またはここで説明される技法に関する他のプロセスを実行または命令することができる。メモリ１７２２、１７４２、および１７６２は、それぞれ、基地局１１０、リレー１２０、およびＵＥ１３０に関するデータおよびプログラムコードを格納することができる。
【００９３】
当業者は、様々な異なる技術および技法のうちのいずれかを使用して、情報と信号が表わされることができるということを理解するであろう。例えば、上記の説明の全体にわたって参照されうる、データ、命令、コマンド、情報、信号、ビット、シンボル、およびチップは、電圧、電流、電磁波、磁場あるいは磁粒子、光場あるいは光学粒子、あるいはそれらのいずれの組み合わせ、によって表わされることができる。
【００９４】
当業者は、ここにおける開示に関連して説明された、様々な説明のための論理ブロック、モジュール、回路、および、アルゴリズムステップは、電子ハードウェア、コンピュータソフトウェアあるいは両方の組合せとして実装されうる、ということをさらに理解するであろう。ハードウェアとソフトウェアのこの互換性を明瞭に説明するために、様々な説明のためのコンポーネント、ブロック、モジュール、回路およびステップが、一般的には、それらの機能という観点から、上記で説明されてきた。このような機能が、ハードウェアあるいはソフトウェアとして実装されるかは、特定のアプリケーションと全体のシステムに課された設計制約によって決まる。当業者は、各特定のアプリケーションについての様々な方法で、記載された機能を実装しうるが、このような実装の決定は、本発明の範囲からの逸脱を生じさせるものとして解釈されるべきでない。
【００９５】
ここにおける開示に関連して説明された、様々な説明のための論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブル論理回路、ディスクリートゲートあるいはトランジスタロジック、ディスクリートハードウェアコンポーネント、あるいは、ここで記載された機能を実行するように設計されたそれらのいずれの組み合わせ、で実装または実行されうる。汎用プロセッサは、マイクロプロセッサであってもよいが、代替として、プロセッサは、任意の従来のプロセッサ、コントローラ、マイクロコントローラ、あるいはステートマシン(state machine)であってもよい。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての１以上のマイクロプロセッサ、あるいはいずれの他のそのような構成のもの、として実装されうる。
【００９６】
ここにおける開示に関連して説明された、方法またはアルゴリズムのステップは、直接ハードウェアで、プロセッサによって実行されるソフトウェアモジュールで、あるいは２つの組み合わせで具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野で知られている記憶媒体のいずれの他の形態、において存在しうる。例示的な記憶媒体は、プロセッサに結合されるので、プロセッサが記憶媒体から情報を読み取ることができ、また記憶媒体に情報を書き込むことができる。あるいは、記憶媒体は、プロセッサに一体化されうる。プロセッサと記憶媒体は、ＡＳＩＣにおいて存在しうる。ＡＳＩＣは、ユーザ端末において存在しうる。あるいは、プロセッサと記憶媒体は、ディスクリートコンポーネントとしてユーザ端末において存在しうる。
【００９７】
１つまたは複数の例示的な設計では、記載された機能は、ハードウェア、ソフトウェア、ファームウェアあるいはそれらのいずれかの組み合わせにおいて実装されうる。ソフトウェアで実装される場合には、機能は、コンピュータ可読媒体上で、１つまたは複数の命令またはコードとして、格納または送信されることができる。コンピュータ可読媒体は、ある場所から別の場所へのコンピュータプログラムの移送を容易にするいずれの媒体も含んでいる、コンピュータ記憶媒体と通信媒体の両方を含む。記憶媒体は、汎用コンピュータまたは専用コンピュータによってアクセスされることができる、いずれの利用可能な媒体でありうる。例として、限定ではないが、このようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータ構造の形で所望のプログラムコード手段を格納または搬送するために使用されることができる、また、汎用または専用コンピュータ、または、汎用または専用プロセッサによってアクセスされることができる、任意の他の媒体も備えることができる。また、いずれの接続もコンピュータ可読媒体と適切に名付けられる。例えば、ソフトウェアがウェブサイト、サーバ、あるいは、同軸ケーブル、光ファイバーケーブル、ツイストペア(twisted pair)、デジタル加入者ライン(digital subscriber line)（ＤＳＬ）、あるいは赤外線、無線、およびマイクロ波のような無線技術を使用している他の遠隔ソース、から送信される場合には、同軸ケーブル、光ファイバーケーブル、ツイストペア、ＤＳＬ、あるいは赤外線、無線、およびマイクロ波のような無線技術は、媒体の定義に含まれている。ここで使用されているように、ディスク(disk)とディスク(disc)は、コンパクトディスク(compact disc)（ＣＤ）、レーザーディスク(登録商標)(laser disc)、光学ディスク(optical disc)、デジタル汎用ディスク(digital versatile disc)（ＤＶＤ）、フロッピー(登録商標)ディスク(disk)およびブルーレイディスク(blu-ray（登録商標） disc)を含んでおり、「ディスク(disks)」は、大抵、データを磁気的に再生しているが、「ディスク(discs)」は、レーザーで光学的に再生する。上記の組み合わせはまた、コンピュータ可読媒体の範囲内に含まれるべきである。
【００９８】
本開示の上述の説明は、当業者が本開示を行うまたは使用することができるように提供される。本開示に対する様々な修正は、当業者にとっては容易に明らかであろう、そして、ここにおいて定義された包括的な原理は、本開示の精神あるいは範囲から逸脱することなく、他の変形に適用されうる。したがって、本開示は、ここで記載される例および設計に限定されるようには意図されておらず、ここに開示された原理および新規な特徴と整合して最も広い範囲が与えられるべきである。
以下に、本願出願の当初の特許請求の範囲に記載された発明を付記する。
［Ｃ１］
無線通信のための方法であって、
第１のリレーのアクセスサブフレームとバックホールサブフレームを決定することと、ここにおいて、前記アクセスサブフレームと前記バックホールサブフレームは、前記第１のリレーのサブフレームの異なる非オーバラッピングサブセットに対応する；
前記第１のリレーの前記アクセスサブフレームの間に前記第１のリレーによって、少なくとも１つのユーザ機器（ＵＥ）と通信することと；
前記第１のリレーの前記バックホールサブフレームの間に前記第１のリレーによって基地局と通信することと、ここにおいて、前記第１のリレーの前記サブフレームは、前記基地局と通信する第２のリレーのサブフレームからオフセットされる；
を備える方法。
［Ｃ２］
前記第１のリレーは、前記第１のリレーが前記基地局と通信可能である起こりうるバックホールサブフレームの第１セットを有し、前記第２のリレーは、前記第２のリレーが前記基地局と通信可能である起こりうるバックホールサブフレームの第２セットを有し、前記第１および第２のリレーについての起こりうるバックホールサブフレームの前記第１および第２セットのスーパーセットは、前記第１のリレーの前記サブフレームと前記第２のリレーの前記サブフレームとの間のオフセットに起因して増大する、Ｃ１に記載の方法。
［Ｃ３］
起こりうるバックホールサブフレームの前記第１セットは、前記第１のリレーによって、マルチキャスト／ブロードキャスト単一周波数ネットワーク（ＭＢＳＦＮ）サブフレームとして構成されることができるすべてのサブフレームを含む、Ｃ２に記載の方法。
［Ｃ４］
前記第１のリレーの前記バックホールサブフレームは、前記第１のリレーについての起こりうるバックホールサブフレームの前記第１セットから選択される、Ｃ２に記載の方法。
［Ｃ５］
前記第１のリレーの前記サブフレームは、前記第２のリレーの前記サブフレームから整数個のサブフレームだけオフセットされる、Ｃ１に記載の方法。
［Ｃ６］
前記第１のリレーの前記サブフレームは、前記第２のリレーの前記サブフレームから第１の量だけオフセットされ、前記基地局と通信する第３のリレーのサブフレームから第２の量だけさらにオフセットされ、前記第２の量は、前記第１の量とは異なる、Ｃ１に記載の方法。
［Ｃ７］
前記第１のリレーの前記アクセスサブフレームは、前記第１のリレーの偶数インデクスを伴うすべてのサブフレーム、または、奇数インデクスを伴うすべてのサブフレームのいずれかを含む、Ｃ１に記載の方法。
［Ｃ８］
前記第１のリレーによって前記少なくとも１つのＵＥと通信することは、前記第１のリレーの前記アクセスサブフレームの間に、ハイブリッド自動再送信（ＨＡＲＱ）で前記少なくとも１つのＵＥによって送信されたデータ送信を受信することを備える、Ｃ７に記載の方法。
［Ｃ９］
前記第１のリレーの前記アクセスサブフレームのうち少なくとも１つは、前記基地局の少なくとも１つのリザーブされたサブフレームに対応し、各リザーブされたサブフレームは、前記第１のリレーと通信する前記少なくとも１つのＵＥへの干渉を減らすために、前記基地局からの縮小された送信電力を有する、Ｃ１に記載の方法。
［Ｃ１０］
前記第１のリレーの前記バックホールサブフレームの各々を、マルチキャスト／ブロードキャスト単一周波数ネットワーク（ＭＢＳＦＮ）サブフレーム、または、ブランクサブフレーム、または、ほぼブランクのサブフレームとして構成すること、をさらに備えるＣ１に記載の方法。
［Ｃ１１］
前記第１のリレーは、第１のサブフレームオフセットと関連づけられたリレーの第１グループに属し、前記第２のリレーは、第２のサブフレームオフセットと関連づけられたリレーの第２グループに属し、各グループは、少なくとも１つのリレーを含み、前記第２のサブフレームオフセットは、前記第１のサブフレームオフセットとは異なる、Ｃ１に記載の方法。
［Ｃ１２］
前記少なくとも１つのＵＥと通信することは、前記第１のリレーの前記アクセスサブフレームの間に前記少なくとも１つのＵＥへデータ送信を送信することを備え、前記基地局と通信することは、前記第１のリレーの前記バックホールサブフレームの間に前記基地局からデータ送信を受信することを備える、Ｃ１に記載の方法。
［Ｃ１３］
前記少なくとも１つのＵＥと通信することは、前記第１のリレーの前記アクセスサブフレームの間に前記少なくとも１つのＵＥからデータ送信を受信することを備え、前記基地局と通信することは、前記第１のリレーの前記バックホールサブフレームの間に前記基地局へデータ送信を送信することを備える、Ｃ１に記載の方法。
［Ｃ１４］
前記第１のリレーの前記バックホールサブフレームの少なくとも１サブセットの間に他のリレーを検出すること、をさらに備えるＣ１に記載の方法。
［Ｃ１５］
前記第１のリレーの前記バックホールサブフレームの前記サブセットの間に、少なくとも１つのブロードキャストチャネル、または、少なくとも１つの同期信号、または双方、の送信をサイレンスにすること、をさらに備えるＣ１４に記載の方法。
［Ｃ１６］
無線通信のための装置であって、
第１のリレーのアクセスサブフレームとバックホールサブフレームを決定するための手段と、なお、前記アクセスサブフレームと前記バックホールサブフレームは、前記第１のリレーのサブフレームの異なる非オーバラッピングサブセットに対応する；
前記第１のリレーの前記アクセスサブフレームの間に前記第１のリレーによって、少なくとも１つのユーザ機器（ＵＥ）と通信するための手段と；
前記第１のリレーの前記バックホールサブフレームの間に前記第１のリレーによって基地局と通信するための手段と、なお、前記第１のリレーの前記サブフレームは、前記基地局と通信する第２のリレーのサブフレームからオフセットされる；
を備える装置。
［Ｃ１７］
前記第１のリレーの前記アクセスサブフレームは、前記第１のリレーの偶数インデクスを伴うすべてのサブフレーム、または、奇数インデクスを伴うすべてのサブフレームのいずれかを含む、Ｃ１６に記載の装置。
［Ｃ１８］
前記第１のリレーの前記アクセスサブフレームのうち少なくとも１つは、前記基地局の少なくとも１つのリザーブされたサブフレームに対応し、各リザーブされたサブフレームは、前記第１のリレーと通信する前記少なくとも１つのＵＥへの干渉を減らすために、前記基地局からの縮小された送信電力を有する、Ｃ１６に記載の装置。
［Ｃ１９］
前記第１のリレーの前記バックホールサブフレームの各々を、マルチキャスト／ブロードキャスト単一周波数ネットワーク（ＭＢＳＦＮ）サブフレーム、または、ブランクサブフレーム、または、ほぼブランクのサブフレームとして構成するための手段と、をさらに備えるＣ１６に記載の装置。
［Ｃ２０］
無線通信のための装置であって、
第１のリレーのアクセスサブフレームとバックホールサブフレームを決定するように、なお、前記アクセスサブフレームと前記バックホールサブフレームは、前記第１のリレーのサブフレームの異なる非オーバラッピングサブセットに対応する；
前記第１のリレーの前記アクセスサブフレームの間に前記第１のリレーによって、少なくとも１つのユーザ機器（ＵＥ）と通信するように；
前記第１のリレーの前記バックホールサブフレームの間に前記第１のリレーによって基地局と通信するように、なお、前記第１のリレーの前記サブフレームは、前記基地局と通信する第２のリレーのサブフレームからオフセットされる；
構成された少なくとも１つのプロセッサ、
を備える装置。
［Ｃ２１］
前記第１のリレーの前記アクセスサブフレームは、前記第１のリレーの偶数インデクスを伴うすべてのサブフレーム、または、奇数インデクスを伴うすべてのサブフレームのいずれかを含む、Ｃ２０に記載の装置。
［Ｃ２２］
前記第１のリレーの前記アクセスサブフレームのうち少なくとも１つは、前記基地局の少なくとも１つのリザーブされたサブフレームに対応し、各リザーブされたサブフレームは、前記第１のリレーと通信する前記少なくとも１つのＵＥへの干渉を減らすために、前記基地局からの縮小された送信電力を有する、Ｃ２０に記載の装置。
［Ｃ２３］
前記少なくとも１つのプロセッサは、前記第１のリレーの前記バックホールサブフレームの各々を、マルチキャスト／ブロードキャスト単一周波数ネットワーク（ＭＢＳＦＮ）サブフレーム、または、ブランクサブフレーム、または、ほぼブランクのサブフレームとして構成するように動作しうる、Ｃ２０に記載の装置。
［Ｃ２４］
非一時的なコンピュータ可読媒体を備えるコンピュータプログラムプロダクトであって、前記非一時的なコンピュータ可読媒体は、
少なくとも１つのコンピュータに第１のリレーのアクセスサブフレームとバックホールサブフレームを決定させるためのコードと、なお、前記アクセスサブフレームと前記バックホールサブフレームは、前記第１のリレーのサブフレームの異なる非オーバラッピングサブセットに対応する；
前記少なくとも１つのコンピュータに前記第１のリレーの前記アクセスサブフレームの間に前記第１のリレーによって少なくとも１つのユーザ機器（ＵＥ）と通信させるためのコードと；
前記少なくとも１つのコンピュータに前記第１のリレーの前記バックホールサブフレームの間に前記第１のリレーによって基地局と通信させるためのコードと、なお、前記第１のリレーの前記サブフレームは、前記基地局と通信する第２のリレーのサブフレームからオフセットされる；
を備える、
コンピュータプログラムプロダクト。
［Ｃ２５］
無線通信のための方法であって、
第１のリレーについての第１のバックホールサブフレームと、第２のリレーについての第２のバックホールサブフレームを決定することと、前記第１および第２のバックホールサブフレームは、基地局のサブフレームの異なるサブセットに対応し、前記第１のリレーのサブフレームは、前記第２のリレーのサブフレームからオフセットされる；
前記第１のバックホールサブフレームの間に前記基地局によって前記第１のリレーと通信することと；
前記第２のバックホールサブフレームの間に前記基地局によって前記第２のリレーと通信することと；
を備える方法。
［Ｃ２６］
前記第１のリレーが前記基地局と通信可能である起こりうるバックホールサブフレームの第１セットから、前記第１のバックホールサブフレームを選択することと；
前記第２のリレーが前記基地局と通信可能である起こりうるバックホールサブフレームの第２セットから、第２のバックホールサブフレームを選択することと、なお、前記第１および前記第２のリレーについての起こりうるバックホールサブフレームの前記第１および第２セットのスーパーセットは、前記第１のリレーの前記サブフレームと前記第２のリレーの前記サブフレームとの間のオフセットに起因して増大する；
をさらに備えるＣ２５に記載の方法。
［Ｃ２７］
起こりうるバックホールサブフレームの前記第１セットは、前記第１のリレーによって、マルチキャスト／ブロードキャスト単一周波数ネットワーク（ＭＢＳＦＮ）サブフレームとして構成されることができるすべてのサブフレームを含み、起こりうるバックホールサブフレームの前記第２セットは、前記第２のリレーによって、ＭＢＳＦＮサブフレームとして構成されることができるすべてのサブフレームを含む、Ｃ２６に記載の方法。
［Ｃ２８］
前記第１のリレーについての前記第１のバックホールサブフレームの少なくとも１つは、前記第２のリレーの少なくとも１つのアクセスサブフレームに対応する、Ｃ２５に記載の方法。
［Ｃ２９］
前記第１のバックホールサブフレームは、前記第１のリレーの偶数インデクスを伴うすべてのサブフレームまたは奇数インデクスを伴うすべてのサブフレームのいずれかを除く、Ｃ２５に記載の方法。
［Ｃ３０］
前記第１のリレーの少なくとも１つのアクセスサブフレームに対応する前記基地局の少なくとも１つのリザーブされたサブフレームを決定することと、
前記第１のリレーと通信する少なくとも１つのユーザ機器（ＵＥ）への干渉を減らすために、前記少なくとも１つのリザーブされたサブフレームの間に前記基地局の送信電力を減らすことと、
をさらに備えるＣ２５に記載の方法。
［Ｃ３１］
前記少なくとも１つのリザーブされたサブフレームの各々を、前記基地局によって、マルチキャスト／ブロードキャスト単一周波数ネットワーク（ＭＢＳＦＮ）サブフレームとして構成すること、をさらに備えるＣ３０に記載の方法。
［Ｃ３２］
第３のリレーについての第３のバックホールサブフレームを決定すること、なお、前記第３のバックホールサブフレームは、前記基地局の前記サブフレームの別のサブセットに対応し、前記第３のサブフレームは、前記第１および第２のリレーのサブフレームからオフセットされる；
前記第３のバックホールサブフレームの間に前記基地局によって前記第３のリレーと通信することと；
をさらに備えるＣ２５に記載の方法。
［Ｃ３３］
前記第１のリレーを含み、第１のサブフレームオフセットと関連づけられたリレーの第１グループを決定することと；
前記第２のリレーを含み、前記第１のサブフレームオフセットとは異なる第２のサブフレームオフセットと関連づけられたリレーの第２グループを決定することと、なお、各グループは、少なくとも１つのリレーを含む；
をさらに備えるＣ２５に記載の方法。
［Ｃ３４］
無線通信のための装置であって、
第１のリレーについての第１のバックホールサブフレームと、第２のリレーについての第２のバックホールサブフレームを決定するための手段と、なお、前記第１および第２のバックホールサブフレームは、基地局のサブフレームの異なるサブセットに対応し、前記第１のリレーのサブフレームは、前記第２のリレーのサブフレームからオフセットされる；
前記第１のバックホールサブフレームの間に前記基地局によって前記第１のリレーと通信するための手段と；
前記第２のバックホールサブフレームの間に前記基地局によって前記第２のリレーと通信するための手段と；
を備える装置。
［Ｃ３５］
前記第１のバックホールサブフレームは、前記第１のリレーの偶数インデクスを伴うすべてのサブフレームまたは奇数インデクスを伴うすべてのサブフレームのいずれかを除く、Ｃ３４に記載の装置。
［Ｃ３６］
前記第１のリレーの少なくとも１つのアクセスサブフレームに対応する前記基地局の少なくとも１つのリザーブされたサブフレームを決定するための手段と、
前記第１のリレーと通信する少なくとも１つのユーザ機器（ＵＥ）への干渉を減らすために、前記少なくとも１つのリザーブされたサブフレームの間に前記基地局の送信電力を減らすための手段と、
をさらに備えるＣ３４に記載の装置。
［Ｃ３７］
無線通信のための装置であって、
第１のリレーについての第１のバックホールサブフレームと、第２のリレーについての第２のバックホールサブフレームを決定するように、なお、前記第１および
第２のバックホールサブフレームは、基地局のサブフレームの異なるサブセットに対応し、前記第１のリレーのサブフレームは、前記第２のリレーのサブフレームからオフセットされる；前記第１のバックホールサブフレームの間に前記基地局によって前記第１のリレーと通信するように；前記第２のバックホールサブフレームの間に前記基地局によって前記第２のリレーと通信するように；構成された少なくとも１つのプロセッサ、を備える装置。
［Ｃ３８］
前記第１のバックホールサブフレームは、前記第１のリレーの偶数インデクスを伴うすべてのサブフレームまたは奇数インデクスを伴うすべてのサブフレームのいずれかを除く、Ｃ３７に記載の装置。
［Ｃ３９］
前記少なくとも１つのプロセッサは、前記第１のリレーの少なくとも１つのアクセスサブフレームに対応する前記基地局の少なくとも１つのリザーブされたサブフレームを決定するように、また、前記第１のリレーと通信する少なくとも１つのユーザ機器（ＵＥ）への干渉を減らすために前記少なくとも１つのリザーブされたサブフレームの間に前記基地局の送信電力を減らすように、構成される、Ｃ３７に記載の装置。
［Ｃ４０］
非一時的なコンピュータ可読媒体を備えるコンピュータプログラムプロダクトであって、前記非一時的なコンピュータ可読媒体は、
少なくとも１つのコンピュータに第１のリレーについての第１のバックホールサブフレームと、第２のリレーについての第２のバックホールサブフレームを決定させるためのコードと、なお、前記第１および第２のバックホールサブフレームは、基地局のサブフレームの異なるサブセットに対応し、前記第１のリレーのサブフレームは、前記第２のリレーのサブフレームからオフセットされる；
前記少なくとも１つのコンピュータに、前記第１のバックホールサブフレームの間に前記基地局によって前記第１のリレーと通信させるためのコードと；
前記少なくとも１つのコンピュータに、前記第２のバックホールサブフレームの間に前記基地局によって前記第２のリレーと通信させるためのコードと；
を備える、
コンピュータプログラムプロダクト。
［Ｃ４１］
無線通信のための方法であって、
ユーザ機器（ＵＥ）と基地局との間の通信のために、ＵＥによって第１のリレーにアクセスすることと；
前記第１のリレーのアクセスサブフレームの間に前記ＵＥによって前記第１のリレーと通信することと、なお、前記第１のリレーの前記アクセスサブフレームは、前記第１のリレーのサブフレームの第１サブセットに対応し、前記第１のリレーと第２のリレーは、前記基地局と通信し、前記第１のリレーの前記サブフレームは、前記第２のリレーのサブフレームからオフセットされる；
を備える方法。
［Ｃ４２］
前記第１のリレーのバックホールサブフレームの間に前記ＵＥによって前記第１のリレーから信号を受信すること、をさらに備え、なお、前記第１のリレーの前記バックホールサブフレームは、前記第１のリレーの前記サブフレームの第２のサブセットに対応する、Ｃ４１に記載の方法。
［Ｃ４３］
前記第１のリレーの前記バックホールサブフレームは、前記第１のリレーによって、マルチキャスト／ブロードキャスト単一周波数ネットワーク（ＭＢＳＦＮ）サブフレームとして構成される、Ｃ４２に記載の方法。
［Ｃ４４］
前記第１のリレーの前記アクセスサブフレームは、前記第１のリレーの偶数インデクスを伴うすべてのサブフレーム、または、奇数インデクスを伴うすべてのサブフレームのいずれかを含む、Ｃ４１に記載の方法。
［Ｃ４５］
前記第１のリレーと通信することは、前記第１のリレーの前記アクセスサブフレームの間に、前記第１のリレーへハイブリッド自動再送信（ＨＡＲＱ）でデータ送信を送信することを備える、Ｃ４４に記載の方法。
［Ｃ４６］
前記第１のリレーの前記アクセスサブフレームのうち少なくとも１つは、前記基地局の少なくとも１つのリザーブされたサブフレームに対応し、前記少なくとも１つのリザーブされたサブフレームは、前記第１のリレーと通信する少なくとも１つのＵＥへの干渉を減らすために、前記基地局からの縮小された送信電力を有する、Ｃ４１に記載の方法。
［Ｃ４７］
無線通信のための装置であって、
ユーザ機器（ＵＥ）と基地局との間の通信のために、ＵＥによって第１のリレーにアクセスするための手段と；
前記第１のリレーのアクセスサブフレームの間に前記ＵＥによって前記第１のリレーと通信するための手段と、なお、前記第１のリレーの前記アクセスサブフレームは、前記第１のリレーのサブフレームのサブセットに対応し、前記第１のリレーと第２のリレーは、前記基地局と通信し、前記第１のリレーの前記サブフレームは、前記第２のリレーのサブフレームからオフセットされる；
を備える装置。
［Ｃ４８］
前記第１のリレーの前記アクセスサブフレームは、前記第１のリレーの偶数インデクスを伴うすべてのサブフレーム、または、奇数インデクスを伴うすべてのサブフレームのいずれかを含む、Ｃ４７に記載の装置。
［Ｃ４９］
前記第１のリレーの前記アクセスサブフレームのうち少なくとも１つは、前記基地局の少なくとも１つのリザーブされたサブフレームに対応し、前記少なくとも１つのリザーブされたサブフレームは、前記第１のリレーと通信する少なくとも１つのＵＥへの干渉を減らすために、前記基地局からの縮小された送信電力を有する、Ｃ４７に記載の装置。
［Ｃ５０］
無線通信のための装置であって、
ユーザ機器（ＵＥ）と基地局との間の通信のために、ＵＥによって第１のリレーにアクセスするように；前記第１のリレーのアクセスサブフレームの間に前記ＵＥによって前記第１のリレーと通信するように、なお、前記第１のリレーの前記アクセスサブフレームは、前記第１のリレーのサブフレームのサブセットに対応し、前記第１のリレーと第２のリレーは、前記基地局と通信し、前記第１のリレーの前記サブフレームは、前記第２のリレーのサブフレームからオフセットされる；構成された少なくとも１つのプロセッサ、
を備える装置。
［Ｃ５１］
前記第１のリレーの前記アクセスサブフレームは、前記第１のリレーの偶数インデクスを伴うすべてのサブフレーム、または、奇数インデクスを伴うすべてのサブフレームのいずれかを含む、Ｃ５０に記載の装置。
［Ｃ５２］
前記第１のリレーの前記アクセスサブフレームのうち少なくとも１つは、前記基地局の少なくとも１つのリザーブされたサブフレームに対応し、前記少なくとも１つのリザーブされたサブフレームは、前記第１のリレーと通信する前記少なくとも１つのＵＥへの干渉を減らすために、前記基地局からの縮小された送信電力を有する、Ｃ５０に記載の装置。
［Ｃ５３］
非一時的なコンピュータ可読媒体を備えるコンピュータプログラムプロダクトであって、前記非一時的なコンピュータ可読媒体は、
少なくとも１つのコンピュータにユーザ機器（ＵＥ）と基地局との間の通信のために、ＵＥによって第１のリレーにアクセスさせるためのコードと；
前記少なくとも１つのコンピュータに前記第１のリレーのアクセスサブフレームの間に前記ＵＥによって前記第１のリレーと通信させるためのコードと、なお、前記第１のリレーの前記アクセスサブフレームは、前記第１のリレーのサブフレームのサブセットに対応し、前記第１のリレーと第２のリレーは、前記基地局と通信し、前記第１のリレーの前記サブフレームは、前記第２のリレーのサブフレームからオフセットされる；
を備える、
コンピュータプログラムプロダクト。
【図１】
0005897689.tif 000003
【図２】
0005897689.tif 000004
【図３】
0005897689.tif 000005
【図４】
0005897689.tif 000006
【図５】
0005897689.tif 000007
【図６】
0005897689.tif 000008
【図７】
0005897689.tif 000009
【図８】
0005897689.tif 000010
【図９】
0005897689.tif 000011
【図１０】
0005897689.tif 000012
【図１１】
0005897689.tif 000013
【図１２】
0005897689.tif 000014
【図１３】
0005897689.tif 000015
【図１４】
0005897689.tif 000016
【図１５】
0005897689.tif 000017
【図１６】
0005897689.tif 000018
【図１７】
0005897689.tif 000019